(57)【要約】      （修正有）【課題】画像などのデータをネットワークに接続された別の装置に出力するとき、どのような順序で出力するかを簡単に変更することができる携帯端末装置、情報出力システム、情報出力方法、プログラムおよび記録媒体を提供する。【解決手段】ＤＬＮＡサーバは、フォルダ名に日付または催し名を含むとき、検出されたフォルダ内のファイルを公開ファイルとして日付昇順でＤＢに登録し、フォルダ名に日付および催し名のいずれをも含まないとき、検出されたフォルダ内のファイルを公開ファイルとして日付降順でＤＢに登録する。そして、第１通信部がＤＬＮＡクライアントから、リモコンによって選択されたフォルダ名のフォルダ情報要求を受信すると、選択されたフォルダ名のフォルダ内にあるファイルのファイル名の一覧であるコンテンツリストを作成し、作成したコンテンツリストを第１通信部によってＤＬＮＡクライアントに送信する。【選択図】図１
2011192087.tif 000002
【特許請求の範囲】
【請求項１】
データを出力する出力装置で出力するための複数の出力データを、各出力データを識別するための出力データ識別情報と対応付けて、かつ前記複数の出力データを個別のフォルダ識別情報が付与された複数のフォルダに分けて記憶するとともに、各フォルダのフォルダ識別情報を記憶する記憶手段と、
記憶手段に記憶されるフォルダ識別情報を読み出し、読み出したフォルダ識別情報を出力装置に送信する第１の送信手段と、
第１の送信手段によって送信されたフォルダ識別情報の中から選択されたフォルダ識別情報を出力装置から受信する受信手段と、
受信手段によって受信されたフォルダ識別情報が示すフォルダに分けられた出力データの出力データ識別情報を記憶手段から読み出し、読み出した出力データ識別情報を、前記受信されたフォルダ識別情報に基づいて定まる配列順序に従って配列した出力データリストを生成する生成手段と、
生成手段によって生成された出力データリストを出力装置に送信する第２の送信手段とを含むことを特徴とする携帯端末装置。
【請求項２】
前記記憶手段は、各出力データが生成された日時を表す日時情報を記憶し、
前記記憶手段に記憶されるフォルダ識別情報は、出力データが生成された日付を表す日付情報を含むフォルダ識別情報と、日付情報を含まないフォルダ識別情報とがあり、
前記生成手段は、
前記受信されたフォルダ識別情報が日付情報を含むとき、出力データ識別情報を前記記憶手段に記憶される日時情報が示す日時の昇順に配列した出力データリストを生成し、
前記受信されたフォルダ識別情報が日付情報を含まないとき、出力データ識別情報を前記記憶手段に記憶される日時情報が示す日時の降順に配列した出力データリストを生成することを特徴とする請求項１に記載の携帯端末装置。
【請求項３】
前記記憶手段は、各出力データが生成された日時を表す日時情報を記憶し、
前記記憶手段に記憶されるフォルダ識別情報は、催しの名称を表す催し名称情報を含むフォルダ識別情報と、催し名称情報を含まないフォルダ識別情報とがあり、
前記生成手段は、
前記受信されたフォルダ識別情報が催し名称情報を含むとき、出力データ識別情報を前記記憶手段に記憶される日時情報が示す日時の昇順に配列した出力データリストを生成し、
前記受信されたフォルダ識別情報が催し名称情報を含まないとき、出力データ識別情報を前記記憶手段に記憶される日時情報が示す日時の降順に配列した出力データリストを生成することを特徴とする請求項１に記載の携帯端末装置。
【請求項４】
前記記憶手段に記憶されるフォルダ識別情報は、キーワードを表わすキーワード情報を含むフォルダ識別情報と、またはキーワード情報を含まないフォルダ識別情報とがあり、
前記生成手段は、前記受信されたフォルダ識別情報がキーワード情報を含むとき、出力データ識別情報をキーワード情報に基づいて定まる配列順序に従って配列した出力データリストを生成することを特徴とする請求項１に記載の携帯端末装置。
【請求項５】
前記記憶手段は、各携帯端末装置を製造したメーカを識別するメーカ識別情報を記憶し、
前記受信されたフォルダ識別情報に基づいて定まる配列順序は、前記記憶手段に記憶されるメーカ識別情報に基づいて設定されることを特徴とする請求項１に記載の携帯端末装置。
【請求項６】
前記記憶手段に記憶される出力データは、画像を表す画像データであり、
前記記憶手段に記憶されるフォルダ識別情報の中から選択されるフォルダ識別情報が示すフォルダに分けられた画像データを、前記受信されたフォルダ識別情報に基づいて定まる配列順序とは異なる予め定める基準に基づいて定まる配列順序で表示する画像表示手段をさらに含むことを特徴とする請求項１に記載の携帯端末装置。
【請求項７】
データを出力する出力装置と、出力装置で出力するための複数の出力データを、各出力データを識別するための出力データ識別情報と対応付けて、かつ前記複数の出力データを個別のフォルダ識別情報が付与された複数のフォルダに分けて記憶するとともに、各フォルダのフォルダ識別情報を記憶する携帯端末装置とを含み、
出力装置は、携帯端末装置に記憶されるフォルダ情報を表示し、表示したフォルダ識別情報の中から出力すべきフォルダのフォルダ識別情報を選択し、
携帯端末装置は、出力装置が選択したフォルダ識別情報が示すフォルダに分けられた出力データの出力データ識別情報を、該選択したフォルダ識別情報に基づいて定まる配列順序に従って配列した出力データリストを生成し、
出力装置は、携帯端末装置が生成した出力データリストに配列された配列順序で出力データを順次出力することを特徴とする情報出力システム。
【請求項８】
データを出力する出力装置と、出力装置で出力するための複数の出力データを、各出力データを識別するための出力データ識別情報と対応付けて、かつ前記複数の出力データを個別のフォルダ識別情報が付与された複数のフォルダに分けて記憶するとともに、各フォルダのフォルダ識別情報を記憶する携帯端末装置とを含む情報出力システムで実行される情報出力方法であって、
出力装置が、携帯端末装置に記憶されるフォルダ情報を表示し、表示したフォルダ識別情報の中から出力すべきフォルダのフォルダ識別情報を選択する選択ステップと、
携帯端末装置が、選択ステップで選択されたフォルダ識別情報が示すフォルダに分けられた出力データの出力データ識別情報を、該選択されたフォルダ識別情報に基づいて定まる配列順序に従って配列した出力データリストを生成する生成ステップと、
出力装置が、生成ステップで生成された出力データリストに配列された配列順序で出力データを順次出力する出力ステップとを含むことを特徴とする情報出力方法。
【請求項９】
データを出力する出力手段と、出力手段で出力するための複数の出力データを、各出力データを識別するための出力データ識別情報と対応付けて、かつ前記複数の出力データを個別のフォルダ識別情報が付与された複数のフォルダに分けて記憶するとともに、各フォルダのフォルダ識別情報を記憶する記憶手段と、コンピュータとを含む情報出力システムに含まれるコンピュータに、
記憶手段に記憶されるフォルダ情報を表示し、表示したフォルダ識別情報の中から出力すべきフォルダのフォルダ識別情報を選択する選択ステップと、
選択ステップで選択されたフォルダ識別情報が示すフォルダに分けられた出力データの出力データ識別情報を、該選択されたフォルダ識別情報に基づいて定まる配列順序に従って配列した出力データリストを生成する生成ステップと、
生成ステップで生成された出力データリストに配列された配列順序で出力データを順次出力手段に出力する出力ステップとを実行させるためのプログラム。
【請求項１０】
請求項９に記載のプログラムを記録したコンピュータ読取り可能な記録媒体。
【発明の詳細な説明】
【技術分野】
【０００１】
本発明は、記憶している画像情報を表示装置などの他の装置に表示することができる携帯端末装置、情報出力システム、情報出力方法、プログラムおよび記録媒体に関する。
【背景技術】
【０００２】
ネットワークに接続された機器は、その機器に保存されている複数の写真を、同ネットワーク上の別の機器で表示・閲覧することが可能である。たとえば、ネットワークに接続された機器は、写真を画像データのファイルとして記憶し、ファイルには撮影時刻および写真のタイトルなどの情報が付加されている。ネットワークに接続された機器は、これらの情報に基づいて、写真を撮影した日時の古い順もしくは新しい順、または写真のタイトル順、たとえばあいうえお順あるいはＡＢＣ順などの見出し語順に、写真を並べ換えて、順次ネットワーク上の別の機器に送信して、表示・閲覧可能とする。
【０００３】
たとえば、第１の従来の技術として、特許文献１に記載されるサービス提供システムがある。このサービス提供システムでは、日記サービス提供サーバは、ネットワークハンディカムによって撮影された画像の画像データに基づいてウェブ（以下「Ｗｅｂ」という）ページを作成し、情報端末装置からの操作に応じて、画像が撮影された撮影日時および撮影場所に関連する情報を日記として画像データに付加する。情報端末装置は、日記サービス提供サーバによって作成された該ユーザの日記リストをディスプレイに表示し、ユーザは、表示された日記リストの中から所望する日付の項目を選択することによって、選択した日付の日記ファイルを順次閲覧することができる。日記ファイルには、画像データのサムネイルと日記とが含まれる。
【０００４】
第２の従来の技術として、特許文献２に記載される画像処理サーバがある。この画像処理サーバは、画像処理サーバにアップロードした静止画あるいは動画に基づいて閲覧用アルバムのホームページを作成し、携帯端末による人気投票の投票結果に基づいて人気の高い画像だけを人気の順位の高い順序で携帯端末に送信して表示する。
【０００５】
第３の従来の技術として、特許文献３に記載される画像処理装置がある。この画像処理装置は、操作者ごとに画像データファイルを記憶するとともに、画像データが使用された履歴を表す履歴データファイルを操作者が所属するグループごとに記憶する。操作者が同じグループの他の操作者が使用したファイルを探すとき、画像処理装置は、ファイルを探す操作者が所属するグループの履歴データファイルを優先順位に従って表示するので、操作者はその中から所望のファイルを容易に探し出すことができる。
【０００６】
第４の従来の技術として、特許文献４に記載される画像形成装置がある。この画像形成装置は、複数のアプリケーションと、通信プロトコルごとに設けられる複数の通信プロトコルデーモンとを有し、各アプリケーションは、印刷データあるいは画像データなどのデータの送受信を行う通信プロトコルの通信プロトコルデーモンを介して、ネットワークとデータの送受信を行う。
【０００７】
第５の従来の技術として、特許文献５に記載されるデータ処理装置がある。このデータ処理装置は、ネットワークに接続された機器を表す情報を画面に表示するとき、サーバ機能を有する機器については、予め作成されている管理テーブルに基づいて、サーバ機能を有することを意味する形状を有するアイコンにて表示する。あるいはライセンスサーバおよびライセンスを受けているクライアントを、それぞれのアイコンにて表示する。
【先行技術文献】
【特許文献】
【０００８】
【特許文献１】特開２００４−３２１２９号公報
【特許文献２】特開２００４−７０６１４号公報
【特許文献３】特開２００６−８０７４７号公報
【特許文献４】特開２００４−１４２５号公報
【特許文献５】特開２００１−１０９５５１号公報
【発明の概要】
【発明が解決しようとする課題】
【０００９】
しかしながら、第１の従来の技術は、撮影された画像の画像データに基づいてＷｅｂページを作成して、情報端末装置の操作によってサムネイルおよび日記を順次閲覧可能とするものであり、また、第２の従来の技術は、アップロードされた静止画あるいは動画に基づいて閲覧用アルバムのホームページを作成し、携帯端末の操作によって人気の順位の高い順序で画像を表示するものであり、いずれの従来の技術も、複数の写真を一覧にして閲覧させることはできない。また、第３の従来の技術は、履歴データファイルを優先順位に従って表示するものであるが、ファイルあるいはフォルダの種類に応じて、一覧で表示するファイルの順序変更することはできない。
【００１０】
第４の従来の技術は、データの送受信を制御するものであり、また、第５の従来の技術は、ネットワークに接続される機器のうちサーバ機能を有する機器を所定のアイコンで表示するものであり、第４，５の従来の技術は、印刷データあるいは画像データなどのデータの表示を制御するものではない。
【００１１】
第１〜第３の従来の技術は、予め定められている順序に従って閲覧しなくてはならず、たとえば、誕生日会などの写真のようなストーリー性があるような複数ファイルに対しても、古い順ではなく新しい順で見たり、または、新しい順で見たいものを古い順で見なくてはならないという問題がある。
【００１２】
本発明の目的は、画像などのデータをネットワークに接続された別の装置に出力するとき、どのような順序で出力するかを簡単に変更することができる携帯端末装置、情報出力システム、情報出力方法、プログラムおよび記録媒体を提供することである。
【課題を解決するための手段】
【００１３】
本発明は、データを出力する出力装置で出力するための複数の出力データを、各出力データを識別するための出力データ識別情報と対応付けて、かつ前記複数の出力データを個別のフォルダ識別情報が付与された複数のフォルダに分けて記憶するとともに、各フォルダのフォルダ識別情報を記憶する記憶手段と、
記憶手段に記憶されるフォルダ識別情報を読み出し、読み出したフォルダ識別情報を出力装置に送信する第１の送信手段と、
第１の送信手段によって送信されたフォルダ識別情報の中から選択されたフォルダ識別情報を出力装置から受信する受信手段と、
受信手段によって受信されたフォルダ識別情報が示すフォルダに分けられた出力データの出力データ識別情報を記憶手段から読み出し、読み出した出力データ識別情報を、前記受信されたフォルダ識別情報に基づいて定まる配列順序に従って配列した出力データリストを生成する生成手段と、
生成手段によって生成された出力データリストを出力装置に送信する第２の送信手段とを含むことを特徴とする携帯端末装置である。
【００１４】
また本発明は、前記記憶手段は、各出力データが生成された日時を表す日時情報を記憶し、
前記記憶手段に記憶されるフォルダ識別情報は、出力データが生成された日付を表す日付情報を含むフォルダ識別情報と、日付情報を含まないフォルダ識別情報とがあり、
前記生成手段は、
前記受信されたフォルダ識別情報が日付情報を含むとき、出力データ識別情報を前記記憶手段に記憶される日時情報が示す日時の昇順に配列した出力データリストを生成し、
前記受信されたフォルダ識別情報が日付情報を含まないとき、出力データ識別情報を前記記憶手段に記憶される日時情報が示す日時の降順に配列した出力データリストを生成することを特徴とする。
【００１５】
また本発明は、前記記憶手段は、各出力データが生成された日時を表す日時情報を記憶し、
前記記憶手段に記憶されるフォルダ識別情報は、催しの名称を表す催し名称情報を含むフォルダ識別情報と、催し名称情報を含まないフォルダ識別情報とがあり、
前記生成手段は、
前記受信されたフォルダ識別情報が催し名称情報を含むとき、出力データ識別情報を前記記憶手段に記憶される日時情報が示す日時の昇順に配列した出力データリストを生成し、
前記受信されたフォルダ識別情報が催し名称情報を含まないとき、出力データ識別情報を前記記憶手段に記憶される日時情報が示す日時の降順に配列した出力データリストを生成することを特徴とする。
【００１６】
また本発明は、前記記憶手段に記憶されるフォルダ識別情報は、キーワードを表わすキーワード情報を含むフォルダ識別情報と、またはキーワード情報を含まないフォルダ識別情報とがあり、
前記生成手段は、前記受信されたフォルダ識別情報がキーワード情報を含むとき、出力データ識別情報をキーワード情報に基づいて定まる配列順序に従って配列した出力データリストを生成することを特徴とする。
【００１７】
また本発明は、前記記憶手段は、各携帯端末装置を製造したメーカを識別するメーカ識別情報を記憶し、
前記受信されたフォルダ識別情報に基づいて定まる配列順序は、前記記憶手段に記憶されるメーカ識別情報に基づいて設定されることを特徴とする。
【００１８】
また本発明は、前記記憶手段に記憶される出力データは、画像を表す画像データであり、
前記記憶手段に記憶されるフォルダ識別情報の中から選択されるフォルダ識別情報が示すフォルダに分けられた画像データを、前記受信されたフォルダ識別情報に基づいて定まる配列順序とは異なる予め定める基準に基づいて定まる配列順序で表示する画像表示手段をさらに含むことを特徴とする。
【００１９】
また本発明は、データを出力する出力装置と、出力装置で出力するための複数の出力データを、各出力データを識別するための出力データ識別情報と対応付けて、かつ前記複数の出力データを個別のフォルダ識別情報が付与された複数のフォルダに分けて記憶するとともに、各フォルダのフォルダ識別情報を記憶する携帯端末装置とを含み、
出力装置は、携帯端末装置に記憶されるフォルダ情報を表示し、表示したフォルダ識別情報の中から出力すべきフォルダのフォルダ識別情報を選択し、
携帯端末装置は、出力装置が選択したフォルダ識別情報が示すフォルダに分けられた出力データの出力データ識別情報を、該選択したフォルダ識別情報に基づいて定まる配列順序に従って配列した出力データリストを生成し、
出力装置は、携帯端末装置が生成した出力データリストに配列された配列順序で出力データを順次出力することを特徴とする情報出力システムである。
【００２０】
また本発明は、データを出力する出力装置と、出力装置で出力するための複数の出力データを、各出力データを識別するための出力データ識別情報と対応付けて、かつ前記複数の出力データを個別のフォルダ識別情報が付与された複数のフォルダに分けて記憶するとともに、各フォルダのフォルダ識別情報を記憶する携帯端末装置とを含む情報出力システムで実行される情報出力方法であって、
出力装置が、携帯端末装置に記憶されるフォルダ情報を表示し、表示したフォルダ識別情報の中から出力すべきフォルダのフォルダ識別情報を選択する選択ステップと、
携帯端末装置が、選択ステップで選択されたフォルダ識別情報が示すフォルダに分けられた出力データの出力データ識別情報を、該選択されたフォルダ識別情報に基づいて定まる配列順序に従って配列した出力データリストを生成する生成ステップと、
出力装置が、生成ステップで生成された出力データリストに配列された配列順序で出力データを順次出力する出力ステップとを含むことを特徴とする情報出力方法である。
【００２１】
また本発明は、データを出力する出力手段と、出力手段で出力するための複数の出力データを、各出力データを識別するための出力データ識別情報と対応付けて、かつ前記複数の出力データを個別のフォルダ識別情報が付与された複数のフォルダに分けて記憶するとともに、各フォルダのフォルダ識別情報を記憶する記憶手段と、コンピュータとを含む情報出力システムに含まれるコンピュータに、
記憶手段に記憶されるフォルダ情報を表示し、表示したフォルダ識別情報の中から出力すべきフォルダのフォルダ識別情報を選択する選択ステップと、
選択ステップで選択されたフォルダ識別情報が示すフォルダに分けられた出力データの出力データ識別情報を、該選択されたフォルダ識別情報に基づいて定まる配列順序に従って配列した出力データリストを生成する生成ステップと、
生成ステップで生成された出力データリストに配列された配列順序で出力データを順次出力手段に出力する出力ステップとを実行させるためのプログラムである。
また本発明は、前記プログラムを記録したコンピュータ読取り可能な記録媒体である。
【発明の効果】
【００２２】
本発明によれば、記憶手段は、データを出力する出力装置で出力するための複数の出力データを、各出力データを識別するための出力データ識別情報と対応付けて、かつ前記複数の出力データを個別のフォルダ識別情報が付与された複数のフォルダに分けて記憶するとともに、各フォルダのフォルダ識別情報を記憶する。第１の送信手段は、記憶手段に記憶されるフォルダ識別情報を読み出し、読み出したフォルダ識別情報を出力装置に送信する。受信手段は、第１の送信手段によって送信されたフォルダ識別情報の中から選択されたフォルダ識別情報を出力装置から受信する。生成手段は、受信手段によって受信されたフォルダ識別情報が示すフォルダに分けられた出力データの出力データ識別情報を記憶手段から読み出し、読み出した出力データ識別情報を、前記受信されたフォルダ識別情報に基づいて定まる配列順序に従って配列した出力データリストを生成する。そして、第２の送信手段は、生成手段によって生成された出力データリストを出力装置に送信する。
【００２３】
したがって、フォルダ識別情報、たとえばフォルダ名に含まれる情報に応じて出力データの出力順序を制御することができるので、画像などのデータをネットワークに接続された別の装置に出力するとき、どのような順序で出力するかを簡単に変更することができる。
【００２４】
また本発明によれば、前記記憶手段は、各出力データが生成された日時を表す日時情報を記憶する。前記記憶手段に記憶されるフォルダ識別情報は、出力データが生成された日付を表す日付情報を含むフォルダ識別情報、または日付情報を含まないフォルダ識別情報である。そして、前記生成手段は、前記受信されたフォルダ識別情報が日付情報を含むとき、出力データ識別情報を前記記憶手段に記憶される日時情報が示す日時の昇順に配列した出力データリストを生成し、前記受信されたフォルダ識別情報が日付情報を含まないとき、出力データ識別情報を前記記憶手段に記憶される日時情報が示す日時の降順に配列した出力データリストを生成する。したがって、フォルダ識別情報、たとえばフォルダ名に日付、たとえば年月日を含ませておくことによって、そのフォルダに含まれる出力データを生成した順序で表示することができる。
【００２５】
また本発明によれば、前記記憶手段は、各出力データが生成された日時を表す日時情報を記憶する。前記記憶手段に記憶されるフォルダ識別情報は、催しの名称を表す催し名称情報を含むフォルダ識別情報と、催し名称情報を含まないフォルダ識別情報とがある。そして、前記生成手段は、前記受信されたフォルダ識別情報が催し名称情報を含むとき、出力データ識別情報を前記記憶手段に記憶される日時情報が示す日時の昇順に配列した出力データリストを生成し、前記受信されたフォルダ識別情報が催し名称情報を含まないとき、出力データ識別情報を前記記憶手段に記憶される日時情報が示す日時の降順に配列した出力データリストを生成する。したがって、フォルダ識別情報、たとえばフォルダ名に催し名称を含ませておくことによって、そのフォルダに含まれる出力データを生成した順序で表示することができ、ストーリー性を損なうことがない。
【００２６】
また本発明によれば、前記記憶手段に記憶されるフォルダ識別情報は、キーワードを表わすキーワード情報を含むフォルダ識別情報と、またはキーワード情報を含まないフォルダ識別情報とがある。前記生成手段は、前記受信されたフォルダ識別情報がキーワード情報を含むとき、出力データ識別情報をキーワード情報に基づいて定まる配列順序に従って配列した出力データリストを生成するので、フォルダ識別情報、たとえばフォルダ名にキーワードを含ませておくことによって、そのフォルダに含まれる出力データを生成した順序または生成した順序と逆の順序で表示することができる。
【００２７】
また本発明によれば、前記記憶手段は、各携帯端末装置を製造したメーカを識別するメーカ識別情報を記憶する。そして、前記受信されたフォルダ識別情報に基づいて定まる配列順序は、前記記憶手段に記憶されるメーカ識別情報に基づいて設定されるので、メーカの異なる携帯端末装置ごとに異なる表示順序で表示することができる。
【００２８】
また本発明によれば、前記記憶手段に記憶される出力データは、画像を表す画像データである。そして、画像表示手段は、前記記憶手段に記憶されるフォルダ識別情報の中から選択されるフォルダ識別情報が示すフォルダに分けられた画像データを、前記受信されたフォルダ識別情報に基づいて定まる配列順序とは異なる予め定める基準に基づいて定まる配列順序で表示する。したがって、画像表示手段、たとえばフォトビューアなどの表示順序を独立に設定することができる。
【００２９】
また本発明によれば、データを出力する出力装置と、出力装置で出力するための複数の出力データを、各出力データを識別するための出力データ識別情報と対応付けて、かつ前記複数の出力データを個別のフォルダ識別情報が付与された複数のフォルダに分けて記憶するとともに、各フォルダのフォルダ識別情報を記憶する携帯端末装置とを含む情報出力システムで情報を出力するにあたって、出力装置は、携帯端末装置に記憶されるフォルダ情報を表示し、表示したフォルダ識別情報の中から出力すべきフォルダのフォルダ識別情報を選択する。携帯端末装置は、出力装置が選択したフォルダ識別情報が示すフォルダに分けられた出力データの出力データ識別情報を、該選択したフォルダ識別情報に基づいて定まる配列順序に従って配列した出力データリストを生成する。そして、出力装置は、携帯端末装置が生成した出力データリストに配列された配列順序で出力データを順次出力する。
【００３０】
したがって、フォルダ識別情報、たとえばフォルダ名に含まれる情報に応じて出力データの出力順序を制御することができるので、画像などのデータをネットワークに接続された別の装置に出力するとき、どのような順序で出力するかを簡単に変更することができる。
【００３１】
また本発明によれば、データを出力する出力装置と、出力装置で出力するための複数の出力データを、各出力データを識別するための出力データ識別情報と対応付けて、かつ前記複数の出力データを個別のフォルダ識別情報が付与された複数のフォルダに分けて記憶するとともに、各フォルダのフォルダ識別情報を記憶する携帯端末装置とを含む情報出力システムで情報を出力するにあたって、選択ステップでは、出力装置が、携帯端末装置に記憶されるフォルダ情報を表示し、表示したフォルダ識別情報の中から出力すべきフォルダのフォルダ識別情報を選択する。生成ステップでは、携帯端末装置が、選択ステップで選択されたフォルダ識別情報が示すフォルダに分けられた出力データの出力データ識別情報を、該選択されたフォルダ識別情報に基づいて定まる配列順序に従って配列した出力データリストを生成する。そして、出力ステップでは、出力装置が、生成ステップで生成された出力データリストに配列された配列順序で出力データを順次出力する。
【００３２】
したがって、フォルダ識別情報、たとえばフォルダ名に含まれる情報に応じて出力データの出力順序を制御することができるので、画像などのデータをネットワークに接続された別の装置に出力するとき、どのような順序で出力するかを簡単に変更することができる。
【００３３】
また本発明によれば、データを出力する出力手段と、出力手段で出力するための複数の出力データを、各出力データを識別するための出力データ識別情報と対応付けて、かつ前記複数の出力データを個別のフォルダ識別情報が付与された複数のフォルダに分けて記憶するとともに、各フォルダのフォルダ識別情報を記憶する記憶手段と、コンピュータとを含む情報出力システムに含まれるコンピュータに、記憶手段に記憶されるフォルダ情報を表示し、表示したフォルダ識別情報の中から出力すべきフォルダのフォルダ識別情報を選択する選択ステップと、選択ステップで選択されたフォルダ識別情報が示すフォルダに分けられた出力データの出力データ識別情報を、該選択されたフォルダ識別情報に基づいて定まる配列順序に従って配列した出力データリストを生成する生成ステップと、生成ステップで生成された出力データリストに配列された配列順序で出力データを順次出力手段に出力する出力ステップとを実行させるためのプログラムとして提供することができる。
【００３４】
また本発明によれば、前記プログラムを記録したコンピュータ読取り可能な記録媒体として提供することができる。
【図面の簡単な説明】
【００３５】
【図１】本発明の一実施形態である画像表示システム１の構成を示すブロック図である。
【図２】携帯端末２の構成を示すブロック図である。
【図３】表示装置３の構成を示すブロック図である。
【図４】携帯端末２の外観を示す図である。
【図５】表示装置３の外観を示す図である。
【図６】リモコン３８の外観を示す図である。
【図７Ａ】携帯端末２でのＤＬＮＡ設定を説明するための図である。
【図７Ｂ】携帯端末２でのＤＬＮＡ設定を説明するための図である。
【図７Ｃ】携帯端末２でのＤＬＮＡ設定を説明するための図である。
【図７Ｄ】携帯端末２でのＤＬＮＡ設定を説明するための図である。
【図８】ＳＤカード４に記録されるデータのディレクトリ構成５０の一例を示す図である。
【図９Ａ】表示装置３で写真を表示するための操作手順の第１の例を示す図である。
【図９Ｂ】表示装置３で写真を表示するための操作手順の第１の例を示す図である。
【図１０】表示装置３で写真を表示するための操作手順の第２の例を示す図である。
【図１１】表示装置３で写真を表示するための操作手順の第３の例を示す図である。
【図１２】表示装置３で写真を表示するための操作手順の第４の例を示す図である。
【図１３】ＤＢのデータ構造７１を示す図である。
【図１４】コンテンツリストのデータ構造７２を示す図である。
【図１５】携帯端末２が実行する第１のＤＬＮＡ設定処理の処理手順を示すフローチャートである。
【図１６】携帯端末２が実行する第１のコンテンツリスト送信処理の処理手順および表示装置３が実行する第１のコンテンツリスト要求処理の処理手順を対応付けて示すフローチャートである。
【図１７】携帯端末２が実行する画像送信処理の処理手順および表示装置３が実行する画像表示処理の処理手順を対応付けて示すフローチャートである。
【図１８】携帯端末２が実行する第２のＤＬＮＡ設定処理の処理手順を示すフローチャートである。
【図１９】携帯端末２が実行する第２のコンテンツリスト送信処理の処理手順および表示装置３が実行する第２のコンテンツリスト要求処理の処理手順を対応付けて示すフローチャートである。
【発明を実施するための形態】
【００３６】
図１は、本発明の一実施形態である画像表示システム１の構成を示すブロック図である。本発明に係る画像表示方法は、画像表示システム１で実行される。情報出力システムである画像表示システム１は、携帯端末装置（以下「携帯端末」という）２および表示装置３を含んで構成される。
【００３７】
携帯端末２と表示装置３とは、ローカルエリアネットワーク（Local Area Network：略称；ＬＡＮ）あるいはワイドエリアネットワーク（Wide Area Network：略称；ＷＡＮ）などのネットワークを介して接続される。携帯端末２と表示装置３とは、たとえば無線ＬＡＮ通信規格であるＩＥＥＥ８０２．１１ｇによる無線通信を行う。無線通信は、無線ＬＡＮ通信規格ＩＥＥＥ８０２．１１ｇによる無線通信に限定されるものではなく、たとえばＢｌｕｅｔｏｏｔｈ（登録商標）あるいはＺｉｇｂｅｅ（登録商標）などの短距離無線通信規格による無線通信であってもよい。
【００３８】
図２は、携帯端末２の構成を示すブロック図である。携帯端末２は、たとえば携帯電話装置、パーソナルコンピュータ、携帯情報端末（Personal Digital Assistance：略称；ＰＤＡ）、あるいは電子辞書などによって構成される。以下、携帯端末２として、携帯電話装置を例にして説明する。
【００３９】
携帯端末２は、第１中央処理装置（Central Processing Unit：以下「ＣＰＵ」という）２０、第１記憶部２１、第１一時記憶部２２、第１表示部２３、第１通信部２４、第１音声出力部２５、音声入力部２６、電話網通信部２７、操作部２９および第１アンテナ２７１を含んで構成される。第１ＣＰＵ２０は、第１一時記憶部２２に記憶されるプログラムを実行することによって、第１表示部２３、第１通信部２４、第１音声出力部２５、音声入力部２６、電話網通信部２７および操作部２９を制御する。
【００４０】
第１記憶部２１は、たとえば不揮発性の半導体メモリなどの記憶装置によって構成され、第１一時記憶部２２よりも容量の大きい記憶装置であり、第１ＣＰＵ２０が実行するプログラムおよび第１ＣＰＵ２０が制御するために必要なデータ（以下「情報」ともいう）を記憶する。第１一時記憶部２２に記憶されるプログラムには、後述するアプリケーションプログラムが含まれる。第１ＣＰＵ２０は、プログラムを実行する前に、実行しようとするプログラムおよび該プログラムを実行するために必要な情報を第１記憶部２１から読み出し、記憶手段である第１一時記憶部２２に書き込んで記憶させる。そして、第１一時記憶部２２に記憶されるプログラムを実行し、第１一時記憶部２２に記憶される情報に対して演算等の処理を行う。第１一時記憶部２２は、第１記憶部２１よりも高速に情報の読み書きが可能な半導体メモリなどによって構成される記憶装置であり、第１ＣＰＵ２０が実行するプログラムおよび第１ＣＰＵ２０が処理する情報を記憶する。
【００４１】
第１表示部２３は、たとえば液晶ディスプレイによって構成され、第１ＣＰＵ２０から受け取る情報、たとえば携帯端末２の動作状況を表す情報、あるいは携帯端末２を制御するために必要な情報を表示する。第１通信部２４は、表示装置３と情報を送受信する通信装置であり、たとえば無線ＬＡＮ通信規格ＩＥＥＥ８０２．１１ｇによる無線通信を行う。第１通信部２４は、第１ＣＰＵ２０から受け取る情報を表示装置３に送信し、表示装置３から受信した情報を第１ＣＰＵ２０に送る。第１ＣＰＵ２０および第１通信部２４は、第１の送信手段、受信手段および第２の送信手段である。第１ＣＰＵ２０は、生成手段である。
【００４２】
第１音声出力部２５は、たとえばスピーカによって構成され、第１ＣＰＵ２０から受け取る情報、たとえば音声通話の音声情報あるいは動作状態を告知するための情報を音にして出力する。音声入力部２６は、たとえばマイクロフォンによって構成され、音声通話のための音声などを入力する。音声入力部２６は、入力された音声を音声情報に変換して第１ＣＰＵ２０に送る。
【００４３】
電話網通信部２７は、公衆回線網を介して無線通信によって情報を送受信する。電話網通信部２７は、第１ＣＰＵ２０から受け取る情報、たとえば音声あるいはパケットなどの情報を電気信号に変換して第１アンテナ２７１に送り、第１アンテナ２７１から受け取る電気信号を音声あるいはパケットなどの情報に変換して第１ＣＰＵ２０に送る。第１アンテナ２７１は、電話網通信部２７から受け取る電気信号を電波として出力して基地局などに送信し、基地局から送信される電波を受信して電気信号に変換して電話網通信部２７に送る。操作部２９は、たとえば操作キーを有するキーボード、あるいはタッチパネルなどによって構成され、ユーザが携帯端末２を操作するために操作キーなどによって入力した情報を第１ＣＰＵ２０に送る。
【００４４】
図３は、表示装置３の構成を示すブロック図である。出力装置である表示装置３は、たとえばテレビジョン装置、あるいはカーナビゲーション装置などの車載用装置によって構成される。以下、表示装置３として、テレビジョン装置を例にして説明する。
【００４５】
表示装置３は、第２ＣＰＵ３０、第２記憶部３１、第２一時記憶部３２、第２表示部３３、第２通信部３４、第２音声出力部３５、チューナ３６、赤外線受光部３７、リモートコントローラ（以下「リモコン」という）３８および第２アンテナ３６１を含んで構成される。第２ＣＰＵ３０は、第２一時記憶部３２に記憶されるプログラムを実行することによって、第２表示部３３、第２通信部３４、第２音声出力部３５、チューナ３６および赤外線受光部３７を制御する。
【００４６】
第２記憶部３１は、たとえば磁気ディスク装置あるいは不揮発性の半導体メモリなどの記憶装置によって構成され、第２一時記憶部３２よりも大容量の記憶装置であり、第２ＣＰＵ３０で実行するプログラムおよび第２ＣＰＵ３０が制御するために必要な情報を記憶する。第２ＣＰＵ３０は、プログラムを実行する前に、実行しようとするプログラムおよび該プログラムを実行するために必要な情報を第２記憶部３１から読み出し、第２一時記憶部３２に書き込んで記憶させる。そして、第２一時記憶部３２に記憶されるプログラムを実行し、第２一時記憶部３２に記憶される情報に対して演算等の処理を行う。
【００４７】
第２一時記憶部３２は、第２記憶部３１よりも高速に情報の読み書きが可能な半導体メモリなどによって構成される記憶装置であり、第２ＣＰＵ３０が実行するプログラムおよび第２ＣＰＵ３０が処理する情報を記憶する。出力手段である第２表示部３３は、たとえば液晶ディスプレイによって構成され、第２ＣＰＵ３０から受け取る情報、たとえば写真などを表す画像データを画像として表示し、あるいは動画コンテンツなどを再生して表示する。
【００４８】
第２通信部３４は、携帯端末２と情報を送受信する通信装置であり、たとえば無線ＬＡＮ通信規格ＩＥＥＥ８０２．１１ｇによる無線通信を行う。第２通信部３４は、第２ＣＰＵ３０から受け取る情報を携帯端末２に送信し、携帯端末２から受信した情報を第２ＣＰＵ３０に送る。無線ＬＡＮによって携帯端末２と直接無線通信を行うのではなく、無線ＬＡＮアクセスポイントを設け、第２通信部３４をその無線ＬＡＮアクセスポイントと有線ＬＡＮで接続する構成としてもよい。すなわち、表示装置３は、無線ＬＡＮアクセスポイントと有線ＬＡＮによる通信を行い、無線ＬＡＮアクセスポイントと携帯端末２とは無線ＬＡＮによる通信を行う構成である。
【００４９】
第２音声出力部３５は、たとえばスピーカによって構成され、第２ＣＰＵ３０から受け取る情報、たとえばテレビジョン放送を受信した番組の音声情報、あるいは動画コンテンツの音声情報、あるいはリモコン３８による操作の確認音などの音声情報を音にして出力する。
【００５０】
チューナ３６は、ユーザによって選択されたチャンネルの周波数が第２ＣＰＵ３０から知らされると、知らされた周波数のテレビジョン放送の電波を第２アンテナ３６１によって受信し、受信したテレビジョン放送の電気信号を映像情報および音声情報に変換し、変換した映像情報および音声情報を第２ＣＰＵ３０に送る。第２アンテナ３６１は、テレビジョン放送の電波を受信し、電気信号に変換してチューナ３６に送る。
【００５１】
赤外線受光部３７は、リモコン３８から送信される赤外線信号を受信する受信装置であり、受信した赤外線信号をリモコン３８からの操作制御情報に変換し、変換した操作制御情報を第２ＣＰＵ３０に送る。リモコン３８は、表示装置３を操作するための複数の操作キーを有する遠隔制御装置であり、操作キーによって指示された操作制御情報を赤外線信号に変換して表示装置３に送信する。第１ＣＰＵ２０および第２ＣＰＵ３０は、コンピュータである。
【００５２】
図４は、携帯端末２の外観を示す図である。図４に示した携帯端末２には、表示画面を有する第１表示部２３と、複数の操作キーを有する操作部２９とが示されている。操作部２９は、数字、文字あるいは記号を入力する複数の操作キーの他に、カーソルキー２９１、決定キー２９２、戻るキー２９３および終了キー２９４などの操作キーを有する。
【００５３】
カーソルキー２９１は、第１表示部２３の表示画面に表示されるカーソルを上下左右に移動させる操作キーである。決定キー２９２は、カーソルによって指し示される項目を選択することを指示する操作キーである。戻るキー２９３は、前の画面に戻るための操作キーである。終了キー２９４は、実行中の機能の終了を指示する操作キーである。
【００５４】
図５は、表示装置３の外観を示す図である。図５に示した表示装置３には、表示画面を有する第２表示部３３と、表示画面の両側に設けられるスピーカを有する第２音声出力部３５とが示されている。
【００５５】
図６は、リモコン３８の外観を示す図である。リモコン３８は、表示装置３の電源のオンオフを制御する電源キー、「１」〜「１２」のチャネル番号が示されたチャンネル選択キー、音量を調節するための音量調節キー、メニューを表示するためのメニューキーのほか、カーソルキー、決定キー、終了キー、戻るキーおよび図示しない赤ボタンなどの操作キーを有する。
【００５６】
図７Ａ〜図７Ｄは、携帯端末２でのＤＬＮＡ（Digital Living Network Alliance）設定を説明するための図である。ＤＬＮＡ設定は、携帯端末２をＤＬＮＡサーバとして機能させるための設定である。ＤＬＮＡサーバは、携帯端末２に内蔵されるサーバ機能であり、第１ＣＰＵ２０が第１一時記憶部２２に記憶されるプログラムを実行することによって実現される機能である。ＤＬＮＡサーバは、ネットワークに接続されたクライアント、たとえば表示装置３に内蔵される後述するＤＬＮＡクライアントからの要求に応じて、要求されたファイルをＤＬＮＡクライアントに提供する。提供するファイルは、写真などの画像データ、音楽などの音声データ、および動画コンテンツの動画データなどの電子ファイルである。
【００５７】
ＤＬＮＡサーバは、業界団体であるＤＬＮＡ（Digital Living Network Alliance）によって定められたＤＬＮＡガイドラインによるプロトコルに従って、ＤＬＮＡクライアントとの間でファイルの送受信を行う。本実施形態では、サーバとクライアントとの間のファイル転送をＤＬＮＡガイドラインによるプロトコルを用いて行っているが、これに限定されるものではなく、他のプロトコルによって転送することも可能である。
【００５８】
図７Ａ（ａ）は、公開するための写真などの画像データをＳＤカード４に準備することを説明するための図である。ＳＤカード４は、着脱可能な可搬型の記録媒体であり、たとえばＳＤ（Secure Digital）メモリカードによって構成される。本実施形態では、ＳＤカード４として、ＳＤメモリカードを用いているが、これに限定されるものではなく、たとえばコンパクトフラッシュ（登録商標）などの着脱可能な可搬型の記録媒体であってもよい。
【００５９】
ＳＤカード４は、パーソナルコンピュータなどの他の情報処理装置によって、写真などの画像データ、音楽などの音声データ、および動画コンテンツの動画データなどの公開するためのデータである公開データがフィルル形式で記録される。以下、ファイル形式で記録されている公開データのことを公開ファイルという。公開とは、出力データである公開データを出力装置に出力することであり、たとえば画像データを表示装置３の第２表示部３３に表示すること、音楽データを表示装置３の第２音声出力部３５から音として出力すること、および動画データを再生して、表示装置３の第２表示部３３に表示し、もしくは表示装置３の第２表示部３３への表示とともに音を表示装置３の第２音声出力部３５から出力することを含む。
【００６０】
図７Ａ（ｂ）は、ＳＤカード４を携帯端末２に装着することを説明するための図である。携帯端末２は、図２に図示しない記録媒体装着部をさらに含み、ＳＤカード４が携帯端末２の図示しない記録媒体装着部に装着されると、第１ＣＰＵ２０は、装着されたＳＤカード４に記録される公開データを読み出すことができる。公開データは、ＳＤカード４だけでなく、携帯端末２の第１一時記憶部２２に準備、つまり予め記憶されていてもよい。第１一時記憶部２２に記憶される公開データは、たとえば携帯端末２がカメラなどの撮影装置を有している場合は、そのカメラによって撮影された写真の画像データでもよいし、あるいは、携帯端末２に装着された他のＳＤカード４から第１一時記憶部２２にコピーされたデータであってもよい。以下、主に、ＳＤカード４に記録されている公開データの公開について説明するが、携帯端末２の第１一時記憶部２２に記憶される公開データについても同様に公開することができる。
【００６１】
図７Ａ（ｃ）は、ＤＬＮＡ設定画面４１の一例を示す図である。具体的には、ユーザが、携帯端末２の第１表示部２３に表示されるメニューからＤＬＮＡ設定の項目を選択すると、ＤＬＮＡ設定を行うアプリケーションプログラムであるＤＬＮＡ設定アプリが起動される。ＤＬＮＡ設定アプリは、ＤＬＮＡサーバに含まれる機能であり、起動されたＤＬＮＡ設定アプリは、ＤＬＮＡ設定画面４１を第１表示部２３に表示する。
【００６２】
ＤＬＮＡ設定画面４１には、「ＤＬＮＡ設定」というタイトル、「起動オン（以下「起動ＯＮ」という）」、「公開フォルダ設定」および「サーバ名設定」の項目が表示されている。「起動ＯＮ」は、ＤＬＮＡサーバを起動するか起動を停止するかを指示するための「起動オン／オフ（以下「起動ＯＮ／ＯＦＦ」という）フラグ」の項目であり、「起動ＯＮ／ＯＦＦフラグ」の項目が、ＤＬＮＡサーバを起動することを指示するための状態になっていることを示している。カーソルキー２９１を操作してカーソルを「起動ＯＮ」の項目に合わせて、決定キー２９２を操作すると、ＤＬＮＡサーバを起動することができる。他の項目に対する操作も同様であり、以下、カーソルキー２９１を操作してカーソルを項目に合わせて、決定キー２９２を操作することを、単に「項目を選択する」という。
【００６３】
「公開フォルダ設定」は、データを公開するフォルダを設定する項目である。「公開フォルダ設定」の項目を選択すると、後述するＤＬＮＡ設定フォルダ設定画面４１ｂに移行する。「サーバ名設定」は、「サーバ名設定」は、携帯端末２に内蔵されるＤＬＮＡサーバの名称を設定するための項目である。「サーバ名設定」の項目を選択すると、サーバ名設定画面に移行し、サーバの名称の設定が可能となる。
【００６４】
図７Ａ（ｃ）に示したＤＬＮＡ設定画面４１では、「公開フォルダ設定」に「（本体）」と表示され、「サーバ名設定」に「（携帯サーバＡ）」と表示されている。「公開フォルダ設定」の「（本体）」は、公開データを公開するフォルダが本体のフォルダであることを示している。「本体」は、携帯端末２本体のことであり、携帯端末２の第１一時記憶部２２のフォルダが「公開フォルダ設定」として設定されていることを示している。「（携帯サーバＡ）」は、携帯端末２のＤＬＮＡサーバの名称として、「携帯サーバＡ」が設定されていることを示している。携帯端末２が複数のＤＬＮＡサーバを内蔵する場合は、それぞれのＤＬＮＡサーバに名称を付与し、その中から選択された１つのＤＬＮＡサーバの名称が表示される。
【００６５】
図７Ｂ（ｄ）は、公開フォルダの設定を説明するための図である。ユーザがＤＬＮＡ設定画面４１ａで「公開フォルダ設定」の項目を選択すると、ＤＬＮＡ設定アプリは、携帯端末２の第１表示部２３に表示する画面をＤＬＮＡ設定フォルダ設定画面４１ｂに変える。ＤＬＮＡ設定フォルダ設定画面４１ｂは、公開可能なフォルダが記憶されている記録媒体の名称、たとえば「ＳＤ」、および記憶装置の名称、たとえば「本体」が表示される。ユーザが、これらの名称の中からデータを公開するフォルダの記録媒体あるいは記憶装置の名称を選択すると、この例では、「ＳＤ」を選択すると、ＤＬＮＡ設定アプリは、携帯端末２の第１表示部２３に表示する画面をＤＬＮＡ設定画面４１ｃに変えて、ＤＬＮＡ設定フォルダ設定画面４１ｂで選択された記録媒体あるいは記憶装置の名称、この例では、「ＳＤ」を表示する。
【００６６】
図７Ｃ（ｅ）は、ＤＬＮＡサーバの起動を説明するための図である。ユーザが、ＤＬＮＡ設定画面４１ｄの「起動ＯＮ／ＯＦＦフラグ」の項目に示される「起動ＯＮ」を選択すると、ＤＬＮＡサーバが起動される。起動されたＤＬＮＡサーバは、データベース（以下「ＤＢ」という）の作成を開始する。このとき、ＤＬＮＡサーバは、ＤＬＮＡ設定画面４１ｅに示すように、「ＤＬＮＡ準備中（ＤＢ）作成」というメッセージを画面中央に表示する。
【００６７】
ＤＢは、公開ファイルに関する情報が登録されるデータベースであり、ＤＬＮＡサーバが公開する公開データを含む公開ファイルのファイル名をフォルダ単位で管理するために作成される。具体的には、「公開フォルダ設定」の項目に設定されている名称の記録媒体あるいは記憶装置のフォルダ内の公開ファイルに関する情報をＤＢに登録する。ＤＢは、携帯端末２の第１一時記憶部２２に記憶される。以下、公開ファイルに記憶される公開データのことを単に公開ファイルともいう。ＤＬＮＡサーバは、表示装置３に内蔵されるＤＬＮＡクライアントの要求に応答して、ＤＬＮＡクライアントで表示可能な公開データの公開ファイル名の一覧表であるコンテンツリストを、このＤＢに記憶される公開ファイルに関する情報に基づいて作成し、作成したコンテンツリストをＤＬＮＡクライアントに送信する。ＤＬＮＡクライアントは、このコンテンツリストを第２表示部３３に表示し、ユーザが選択したファイル名のファイルをＤＬＮＡサーバから取得して表示する。ファイル名は、出力データ識別情報である。
【００６８】
ＤＬＮＡサーバは、ＤＢの作成が完了すると、ＤＬＮＡ設定画面４１ｆに示すように、「ＤＬＮＡ準備できました。」というメッセージを画面中央に表示した後、ＤＬＮＡ設定画面に「起動ＯＮ」と表示されている「起動ＯＮ／ＯＦＦフラグ」の項目を、ＤＬＮＡ設定画面４１ｈに示すように、「起動オフ（以下「起動ＯＦＦ」という）」に変える。「起動ＯＦＦ」は、「起動ＯＮ／ＯＦＦフラグ」の項目がＤＬＮＡサーバの起動の停止を指示するための状態になっていることを示している。
【００６９】
図７Ｃ（ｆ）は、他のアプリケーションプログラム（以下「他のアプリ」という）の画像が表示されているときの画面４２を示す図である。他のアプリケーションプログラム（以下「他のアプリ」という）が起動され、他のアプリによる画像が画面に表示されるとき、ＤＬＮＡサーバが稼働中であると、ＤＬＮＡサーバが稼働中であることを示すアイコン、たとえば「ＤＬＮＡ稼働中」というアイコン４２１が、画面に設けられる状態通知エリア４２２に表示される。
【００７０】
図７Ｄ（ｇ）は、カメラ機能画面４３の一例を示す図である。携帯端末２がカメラなどの撮影装置およびそのカメラを使用するためのカメラ機能を有している場合、たとえばユーザが携帯端末２のカメラ機能を起動すると、カメラ機能画面４３が表示され、カメラによる写真撮影が可能になる。カメラ機能は、カメラなどの撮影装置を用いて写真を撮影するためのアプリケーションプログラムによって実現され、ＤＬＮＡ設定アプリの起動と同様に、携帯端末２の第１表示部２３に表示されるメニューからカメラ機能の項目を選択することによって起動される。写真の撮影は、操作部２９に設けられるいずれかの操作キーをシャッターとして機能させて撮影してもよいし、シャッターとなる専用の操作キーを操作部２９に設けておき、その操作キーを押下することによって撮影を可能としてもよい。
【００７１】
カメラ機能画面４３には、「カメラ」というタイトルと、撮影された写真の画像４３１が表示されている。撮影した写真の保存先がＳＤカード４に設定されていると、撮影された写真の画像４３１の画像データは、ＳＤカード４のフィルダに記録される。
【００７２】
図７Ｄ（ｈ）は、フォトビューア操作画面４４の一例を示す図である。画像表示手段であるフォトビューアは、携帯端末２に内蔵されている機能の１つであり、画像データを表示するためのアプリケーションプログラムによって実現される。フォトビューアは、ＤＬＮＡ設定アプリの起動と同様に、携帯端末２の第１表示部２３に表示されるメニューからフォトビューアの項目を選択することによって起動される。フォトビューアは、ＳＤカード４または第１一時記憶部２２に記憶される画像データを表示するための機能であり、ＤＢに記憶される画像データを表示することはできない。
【００７３】
フォトビューア操作画面４４には、「フォトビューア」というタイトル、選択されているフォルダ名、およびフォルダ内にあるファイル名の一覧が、画像データが生成された日付の降順（以下「日付降順」という）に表示されている。ＳＤカード４または第１一時記憶部２２に記憶される画像データには、各画像データのファイル名とともに、それぞれの画像データが生成された日時が記憶されており、日付降順は、その日時に基づいて、最も直近の日時から過去の日時に遡る順序である。生成された日時は、たとえば画像データが写真の画像データであれば、その写真が撮影された日時であり、画像データが、描画アプリケーションプログラムなどによって作成された画像の画像データであれば、作成された日時である。フォルダ名は、フォルダ識別情報である。日付降順は、予め定める基準に基づいて定まる配列順序である。
【００７４】
図７Ｄ（ｈ）に示した例には、選択されているフォルダ名がかっこ付きで「カメラ／ＡＡＡ１０００」と表示され、該フォルダ内のファイル名として「ＤＳＣ０１００」、「ＤＳＣ００９９」および「ＤＳＣ００９８」がこの順序で上から降順に表示されている。
【００７５】
図７Ｄ（ｉ）は、他のフォトビューア操作画面４４ａの例を示す図である。図７Ｄ（ｉ）に示した例には、選択されているフォルダ名がかっこ付きで「写真／２００９１２２４クリスマス会」と表示され、該フォルダ内のファイル名として「ＣＣＣ００１３」、「ＢＢＢ００１１」および「ＢＢＢ００１０」がこの順序で上から降順に表示されている。
【００７６】
このように、フォトビューアで画像データを表示する場合は、必ず日付降順で表示されるが、ＤＬＮＡサーバによって表示する場合は、後述するように、日付降順だけではなく、画像データが生成された日付の昇順（以下「日付昇順」という）でも表示可能である。日付昇順は、その日時に基づいて、最も過去の日時から直近の日時の順に並ぶ順序である。
【００７７】
図８は、ＳＤカード４に記録されるデータのディレクトリ構成５０の一例を示す図である。第１一時記憶部２２に記憶されるデータのディレクトリ構成は、ＳＤカード４に記録されるデータのディレクトリ構成５０と同様の構成であり、以下、ＳＤカード４に記録されるデータのディレクトリ構成５０についてのみ説明し、第１一時記憶部２２に記憶されるデータのディレクトリ構成については説明を省略する。
【００７８】
最上位の階層にあるフォルダは、フォルダ名「Ｐｈｏｔｏ」のフォルダ５１であり、最上位の階層の直下の階層である第２階層にあるフォルダは、フォルダ名「Ｐｈｏｔｏ」のフォルダ５１に含まれるフォルダ名「カメラ」のフォルダ５２、およびフォルダ名「写真」のフォルダ５３の２つのフォルダである。
【００７９】
第２階層の直下の階層である第３階層にあるフォルダは、フォルダ名「カメラ」のフォルダ５２に含まれるフォルダ名「ＡＡＡ１０００」のフォルダ５２１、フォルダ名「ＡＡＡ１００１」のフォルダ５２２およびフォルダ名「ＡＡＡ１００２」のフォルダ５２３の３つのフォルダである。さらに、第３階層には、フォルダ名「写真」のフォルダ５３に含まれるフォルダ名「２００９１２２４クリスマス会」のフォルダ５３１、フォルダ名「２０１００１２０」のフォルダ５３２、フォルダ名「２００８夏休み」のフォルダ５３３、フォルダ名「誕生会」のフォルダ５３４、フォルダ名「運動会２００９１０」のフォルダ５３５、フォルダ名「その他」のフォルダ５３６およびフォルダ名「ＡＡＡ０００２」のフォルダ５３７の７つのフォルダがある。
【００８０】
第３階層のフォルダ５２１〜５２３およびフォルダ５３１〜５３７の各フォルダには、それぞれ写真ファイル５２１ａ〜５２３ａおよび写真ファイル５３１ａ〜５３７ａが記録されている。たとえばフォルダ５２１には、ファイル名「ＤＳＣ＿ｎｎｎｎ．ＪＰＧ」の複数の写真ファイル５２１ａが記憶され、また、フォルダ５３１には、ファイル名「＊＊＊＊＊．ＪＰＧ」の複数の写真ファイル５３１ａが記憶されている。「ｎｎｎｎ」は、撮影された順序で付与される昇順の番号であり、「＊＊＊＊＊」についても同様である。各画像データは、この昇順に各ファイルに記憶されている。
【００８１】
図９Ａおよび図９Ｂは、表示装置３で写真を表示するための操作手順の第１の例を示す図である。図９Ａ（ａ）は、メニューを表示させるための操作を説明するための図である。ユーザが、表示装置３の画面６１にテレビジョン放送の映像が表示されている状態で、リモコン３８のメニューキーを操作することによって、メニューを表示することができる。
【００８２】
図９Ａ（ｂ）は、メニュー６１１ａが表示された画面６１１の一例を示す図である。メニュー６１１ａには、たとえば「１．テレビ」、「２．インターネット」および「３．ＤＬＮＡ」の３つの項目が表示される。「テレビ」は、「テレビジョン」の略称である。ユーザは、ＤＬＮＡクライアントの起動を所望するとき、リモコン３８のカーソルキーを操作してカーソル６１１ｂをメニュー６１１ａの「３．ＤＬＮＡ」の項目に合わせて、決定キーを操作することによって、ＤＬＮＡクライアントを起動し、ＤＬＮＡクライアントのトップ画面を表示することができる。「１．テレビ」の項目を選択すると、テレビジョン放送を受信する画面になり、「２．インターネット」の項目を選択すると、インターネットを操作する画面になる。
【００８３】
ＤＬＮＡクライアントは、表示装置３に内蔵される機能であり、第２ＣＰＵが第２一時記憶部３２に記憶されるプログラムを実行することによって実現される機能である。ＤＬＮＡクライアントは、携帯端末２のＤＬＮＡサーバと連携して画像の表示あるいは音楽の再生などの処理を行う。ＤＬＮＡクライアントは、表示装置３の第２ＣＰＵ３０で実行されるアプリケーションプログラムによって実現される。
【００８４】
図９Ａ（ｃ）は、ＤＬＮＡクライアントのトップ画面６１２を示す図である。トップ画面６１２には、「ＤＬＮＡクライアント」というタイトル、「写真を見る」および「音楽をきく」などの項目からなる選択項目、ならびに「赤ボタンで、サーバ選択」という項目６１２ａが表示されている。ユーザは、選択項目のうちいずれかを選択して、リモコン３８の図示しない赤ボタンを操作することによって、選択された項目に対応するサーバ選択画面を表示することができる。すなわち、選択項目のうち「写真を見る」を選択して赤ボタンを操作すると、写真の表示を行うＤＬＮＡサーバを選択するためのサーバ選択画面６１３が表示され、選択項目のうち「音楽をきく」を選択して赤ボタンを操作すると、音楽の再生を行うＤＬＮＡサーバを選択するための図示しないサーバ選択画面が表示される。
【００８５】
図９Ａ（ｄ）は、サーバ選択画面６１３の一例を示す図である。サーバ選択画面６１３は、ＤＬＮＡサーバを選択するための画面であり、選択可能なサーバの一覧を示すサーバリストを表示する。図９Ａ（ｄ）に示したサーバ選択画面６１３は、トップ画面６１２で「写真を見る」を選択した場合のサーバ選択画面６１３であり、図９Ａ（ｄ）に示したサーバ選択画面６１３には、「携帯サーバＡ」および「ＰＣサーバＭ」の２つのＤＬＮＡサーバが表示されている。「ＰＣ」は、パーソナルコンピュータの略称である。携帯サーバＡは、携帯端末２のＤＬＮＡサーバに付与されているサーバ名称であり、「ＰＣサーバＭ」は、表示装置３が接続される同じネットワークに接続されるＰＣに内蔵されるＤＬＮＡサーバに付与されているサーバ名称である。
【００８６】
ユーザがリモコン３８を操作して、「携帯サーバＡ」を選択すると、ＤＬＮＡクライアントは、「携帯サーバＡ」という名称が付与されているＤＬＮＡサーバと連携するために、携帯端末２に内蔵されるＤＬＮＡサーバとの通信を開始する。
【００８７】
図９Ｂ（ｅ）は、トップディレクトリ画面６１４の一例を示す図である。トップディレクトリ画面６１４は、選択されたＤＬＮＡサーバの「公開フォルダ設定」の項目に設定されている名称の記録媒体または記憶装置のフォルダのトップディレクトリを表示する。トップディレクトリ画面６１４には、選択されているＤＬＮＡサーバ名、たとえば「携帯サーバＡ」がかっこ付きで表示され、その下に、トップディレクトリにあるフォルダのフォルダ名、たとえばフォルダ名「カメラ」およびフォルダ名「写真」が表示される。
【００８８】
図９Ｂ（ｆ）は、写真リスト表示画面６１５の一例を示す図である。ユーザが、図９Ｂ（ｅ）に表示されたトップディレクトリから下位の階層のディレクリを順次選択して、表示させたい写真の画像データのあるフォルダを選択すると、そのフォルダについての写真リスト表示画面６１５が表示される。写真リスト表示画面６１５には、選択されたフォルダ名がかっこ付きで表示され、その下に、表示可能な写真の画像データが記憶されるファイル名が、ＤＢに登録されている後述する公開順で表示される。
【００８９】
たとえば、トップディレクトリでフォルダ名「カメラ」を選択し、その下の階層でフォルダ名「ＡＡＡ１０００」を選択すると、図９Ｂ（ｆ）に示した写真リスト表示画面６１５が表示される。図９Ｂ（ｆ）に示した写真リスト表示画面６１５には、選択されたフォルダ名「カメラ／ＡＡＡ１０００」がかっこ付きで表示され、表示可能な画像データのファイル名として、ファイル名「ＤＳＣ０１００」、ファイル名「ＤＳＣ００９９」およびファイル名「ＤＳＣ００９８」が上から下に日付降順で表示されている。
【００９０】
写真リストは、ＤＬＮＡサーバによって作成されるコンテンツリストのうち、写真の画像データについてのコンテンツリストである。出力データリストであるコンテンツリストは、写真リストの他に、音楽の音声データについてのコンテンツリストである音楽リスト、および動画コンテンツの動画データについてのコンテンツリストである動画リストなどが含まれる。コンテンツリストは、画像データなどのデータを含むフォルダ単位で生成され、表示あるいは再生される順序で、該フォルダ内のファイル名を一覧で表わされたリストである。図９Ａ（ｃ）のトップ画面６１２で「音楽をきく」を選択した場合は、写真リスト表示画面６１５の代わりに、音楽リストを表示する図示しない音楽リスト表示画面が表示される。
【００９１】
図９Ｂ（ｇ）は、写真表示画面６１６の一例を示す図である。ユーザが、図９Ｂ（ｆ）に表示された写真リストから表示させたい画像データのあるファイル名、たとえば「ＤＳＣ０１００」を選択すると、選択されたファイル名の画像データが写真表示画面６１６に表示される。写真表示画面６１６には、選択されたファイル名の画像データによる画像が表示され、画像の中にその画像データのファイル名が表示される。そして、最下段に「右：次の写真  戻る：再生終了」と表示された操作方法を説明する操作説明メッセージ６１６ａも表示される。
【００９２】
「右：次の写真  戻る：再生終了」が表示される操作説明メッセージ６１６ａは、リモコン３８のカーソルキーのうち右方向のカーソルキーを操作すると、写真リストに示された次の写真を表示することを示す。そして、リモコン３８のカーソルキーのうち戻るキーを操作すると、写真の再生、つまり写真の表示を終了し、写真リスト表示画面６１５に戻ることを示している。図９Ｂ（ｇ）に示した写真表示画面６１６には、ファイル名「ＤＳＣ０１００」の画像データが表示されている。
【００９３】
写真表示画面６１６が表示された後、リモコン３８による操作が何も行われずに、所定の時間が経過すると、ＤＬＮＡクライアントは、スライドショー機能が働き、写真リスト表示画面６１５に示された写真リストのファイル名の画像データを一定の時間毎に写真リストの順序で順次表示する。
【００９４】
図９Ｂ（ｈ）は、他の写真表示画面６１７の例を示す図である。写真表示画面６１７は、図９Ｂ（ｇ）に示した写真表示画面６１６で、リモコン３８の右カーソルキーを操作したときに表示される画面であり、図９Ｂ（ｆ）に示した写真リスト表示画面６１５の写真リストで、ファイル名「ＤＳＣ０１００」の次のファイル名「ＤＳＣ００９９」の画像データが表示されている。写真リストは、日付降順であるので、ファイル名「ＤＳＣ０１００」よりも１つ前の画像データであるファイル名「ＤＳＣ００９９」の画像データが表示され、画像データが過去に遡って順次表示されることになる。
【００９５】
図１０は、表示装置３で写真を表示するための操作手順の第２の例を示す図である。図９Ａ図および第９Ｂ図に示した第１の例では、画像データを日付降順で表示したが、第２の例は、日付昇順で画像データを表示する例である。
【００９６】
図１０（ａ）は、携帯サーバＡが表示するフォルダのトップディレクトリを表示するトップディレクトリ画面６２であり、図９Ｂ（ｅ）に示したトップディレクトリ画面６１４と同じ画面である。図１０（ａ）に示したトップディレクトリ画面６２では、リモコン３８によってフォルダ名「写真」にカーソル６２ａが移動されている。リモコン３８によって、フォルダ名「写真」を選択し、続いて表示されるフォルダ名の中からフォルダ名「２００９１２２４クリスマス会」を選択すると、フォルダ名「２００９１２２４クリスマス会」の写真リスト表示画面６２１を表示することができる。
【００９７】
図１０（ｂ）は、写真リスト表示画面６２１の一例を示す図である。写真リスト表示画面６２１は、フォルダ名「２００９１２２４クリスマス会」のフォルダに含まれるファイルのファイル名を、ＤＢの登録されている後述する公開順、この場合は日付昇順で表示する。図１０（ｂ）に示した写真リスト表示画面６２１には、選択されたフォルダ名「写真／２００９１２２４クリスマス会」がかっこ付きで表示され、表示可能な画像データのファイル名として、ファイル名「ＢＢＢ００１０」、ファイル名「ＢＢＢ００１１」およびファイル名「ＣＣＣ００１３」が上から下に日付昇順で表示されている。
【００９８】
ユーザは、リモコン３８によって、写真リスト表示画面６２１に表示されている写真リストの中から表示したい画像データのファイル名を選択することによって、選択したファイル名の画像データを表示することができる。たとえばカーソル６２１ａによってファイル名「ＢＢＢ００１０」を選択すると、ファイル名「ＢＢＢ００１０」の画像データを表示することができる。
【００９９】
図１０（ｃ）は、さらに他の写真表示画面６２２の一例を示す図である。写真表示画面６２２には、ファイル名「ＢＢＢ００１０」の画像データが表示され、「右：次の写真  戻る：再生終了」と表示された操作説明メッセージ６２２ａも表示されている。
【０１００】
図１０（ｄ）は、さらに他の写真表示画面６２３の一例を示す図である。写真表示画面６２３には、図１０（ｃ）に示した写真表示画面６２２で、リモコン３８の右カーソルキーを操作したときに表示される画面であり、ファイル名「ＢＢＢ００１１」の画像データが表示されている。すなわち、図１０（ｂ）に示した写真リスト表示画面６２１の写真リストで、ファイル名「ＢＢＢ００１０」の次のファイル名「ＢＢＢ００１１」の画像データが表示されている。
【０１０１】
図１１は、表示装置３で写真を表示するための操作手順の第３の例を示す図である。第３の例は、第２の例と同様に、画像データを日付昇順で表示する例である。図１１（ａ）は、携帯サーバＡが表示するフォルダのトップディレクトリを表示するトップディレクトリ画面６３であり、図１０（ａ）に示したトップディレクトリ画面６２と同じ画面である。図１１（ａ）に示したトップディレクトリ画面６３でも、リモコン３８によってフォルダ名「写真」にカーソル６３ａが移動されている。リモコン３８によって、フォルダ名「写真」を選択し、続いて表示されるフォルダ名の中からフォルダ名「誕生会」を選択すると、フォルダ名「誕生会」の写真リスト表示画面６３１を表示することができる。
【０１０２】
図１１（ｂ）は、写真リスト表示画面６３１の一例を示す図である。写真リスト表示画面６３１は、フォルダ名「誕生会」のフォルダに含まれるファイルのファイル名を、ＤＢの登録されている後述する公開順、この場合は日付昇順で表示する。図１１（ｂ）に示した写真リスト表示画面６３１には、選択されたフォルダ名「写真／誕生会」がかっこ付きで表示され、表示可能な画像データのファイル名として、ファイル名「ＤＤＤ０００１」、ファイル名「ＥＥＥ００１３」およびファイル名「ＥＥＥ００２３」が上から下に日付昇順で表示されている。
【０１０３】
ユーザは、リモコン３８によって、写真リスト表示画面６３１に表示されている写真リストの中から表示したい画像データのファイル名を選択することによって、選択したファイル名の画像データを表示することができる。たとえばカーソル６３１ａによってファイル名「ＥＥＥ００１３」を選択すると、ファイル名「ＥＥＥ００１３」の画像データを表示することができる。
【０１０４】
図１１（ｃ）は、さらに他の写真表示画面６３２の一例を示す図である。写真表示画面６３２には、ファイル名「ＥＥＥ００１３」の画像データが表示され、「右：次の写真  戻る：再生終了」と表示された操作説明メッセージ６３２ａも表示されている。
【０１０５】
図１１（ｄ）は、さらに他の写真表示画面６３３の一例を示す図である。写真表示画面６３３には、図１１（ｃ）に示した写真表示画面６３２で、リモコン３８の右カーソルキーを操作したときに表示される画面であり、ファイル名「ＥＥＥ００２３」の画像データが表示されている。すなわち、図１１（ｂ）に示した写真リスト表示画面６２１の写真リストで、ファイル名「ＥＥＥ００１３」の次のファイル名「ＥＥＥ００２３」の画像データが表示されている。
【０１０６】
図１２は、表示装置３で写真を表示するための操作手順の第４の例を示す図である。第４の例は、以前最後に表示した画像データを含むフォルダに含まれる画像データの表示を再開、あるいは以前最後に再生した音楽データを含むフォルダに含まれる音楽データの再生を再開するときの例である。
【０１０７】
図１２（ａ）は、他のトップ画面６４の一例を示す図である。トップ画面６４は、図９Ａ（ｃ）に示したトップ画面６１２と同じ画面である。ユーザは、トップ画面６４が表示された後、リモコン３８の図示しない赤ボタンによる操作を行うことなく、カーソル６４ａで「写真を見る」を選択することによって、以前最後に表示した画像データを含むフォルダに含まれる画像データの表示を再開することができ、またはカーソル６４ａで「音楽をきく」を選択することによって、以前最後に再生した音楽データを含むフォルダに含まれる音楽データの再生を再開することができる。
【０１０８】
ＤＬＮＡクライアントは、以前最後に表示した画像データのフォルダ名と、そのフォルダの写真リストと、そのフォルダ内の画像データのうち最初に表示した画像データのファイル名とを、第２一時記憶部３２に記憶しておく。そして、トップ画面６４を表示した後、リモコン３８の図示しない赤ボタンによる操作が行われることなく、カーソル６４ａで「写真を見る」が選択されたとき、第２一時記憶部３２に記憶したファイル名の画像データから、第２一時記憶部３２に記憶したフォルダ名および写真リストに基づいて、画像データの表示を再開する。
【０１０９】
最後に表示した画像データの続きから表示する場合は、最初に表示した画像データのファイル名の代わりに、最後に表示した画像データのファイル名を記憶しておき、画像データの表示を再開するときは、第２一時記憶部３２に記憶したフォルダ名の次のファイル名の画像データから表示を再開する。次の画像データが、その画像データを含むフォルダ内の最後の画像データのときは、同じフォルダ内の最初の画像データから表示を再開する。
【０１１０】
図１２（ｂ）は、さらに他の写真表示画面６４１の一例を示す図である。写真表示画面６４１は、画像の表示を再開した直後の写真表示画面であり、図１１（ｃ）に示した写真表示画面６３２と同じ画面である。図１２（ｃ）は、さらに他の写真表示画面６４２の一例を示す図である。写真表示画面６４２は、図１２（ｂ）に示した写真表示画面６４１の次に表示される写真表示画面であり、図１１（ｄ）に示した写真表示画面６３３と同じ画面である。
【０１１１】
図１３は、ＤＢのデータ構造７１を示す図である。ＤＢは、携帯端末２のＤＬＮＡサーバ、つまり携帯サーバＡによって生成され、携帯端末２の第１一時記憶部２２に記憶される。ＤＬＮＡサーバは、起動された直後、ＤＬＮＡ設定の「公開フォルダ設定」の項目に設定されている名称の記録媒体、たとえばＳＤに記録、または記憶装置、たとえば本体に記憶されている公開データについて、ＤＢを作成する。
【０１１２】
ＤＢのデータ構造７１は、「フォルダ名」、「フォルダのパス」、「公開ファイル有無」、「公開ファイル名」および「公開順」の５つの項目を含む。「フォルダ名」の項目は、「公開フォルダ設定」の項目に設定されている名称の記録媒体、たとえばＳＤに記録、または記憶装置、たとえば本体に記憶されているフォルダのフォルダ名である。ＳＤは、たとえばＳＤカード４であり、本体は、たとえば携帯端末２の第１一時記憶部２２である。「フォルダのパス」の項目は、フォルダ名の項目に示されているフォルダ名のフォルダがあるディレクトリ内のパスを示す。「公開ファイル有無」の項目は、「フォルダ名」の項目に示されているフォルダ名のフォルダ内にファイルがあるか否かを示し、「ｎｏ」はフォルダ内に公開するファイルがないことを示し、「ｙｅｓ」はフォルダ内に公開するファイルがあることを示す。
【０１１３】
「公開ファイル名」の項目は、「公開ファイル有無」の項目が「ｙｅｓ」のフォルダについて、「フォルダ名」の項目に示されているフォルダ名のフォルダ内に含まれるファイルのファイル名を１つずつ示す。「公開ファイル有無」の項目が「ｎｏ」のフォルダについては、公開ファイル名は登録されることはなく、そのフォルダに公開ファイルが記録または記憶されていないことを示す「−」が登録される。「公開ファイル名」の項目に登録されるファイル名は、ＳＤに記録されている順序、または本体に記憶されている順序で登録される。ＳＤまたは本体には、各ファイルが生成された順序で記憶されており、ＤＢの公開ファイル名に登録されたファイル名も生成された順序、つまり日付昇順で記憶されている。
【０１１４】
図１３に示したＤＢのデータ構造７１では、ＳＤに記録されている順序、または本体に記憶されている順序に登録したが、ＤＢに登録するときに、「公開順」の項目に示される順序で登録してもよい。ＳＤカード４に記録されるデータ、および第１一時記憶部２２に記憶されるデータのファイルは、各データが生成された日時を表す日時情報も記録または記憶されているので、その日時情報に基づいて、日付降順または日付昇順で登録する。
【０１１５】
「公開順」の項目は、「公開ファイル有無」の項目が「ｙｅｓ」のフォルダについて、「公開ファイル名」の項目に示されるファイル名のファイルを公開する順序を示す。「公開ファイル有無」の項目が「ｎｏ」のフォルダについては、公開順は登録されることはなく、公開順がないことを示す「−」が登録される。配列順序である公開順には、日付降順と日付昇順とがあり、いずれかの公開順が示される。「降順」は、公開順が日付降順であることを示し、「昇順」は、公開順が日付昇順であることを示す。公開順は、ＤＬＮＡサーバがＤＢを作成するとき、各ファイルを含むフォルダのフォルダ名に基づいて、日付降順か日付昇順かを決定して、ＤＢに登録する。同じフォルダ内のファイルについては、同じ公開順が登録される。
【０１１６】
具体的には、フォルダ名が「日付」または「催し名」を含むとき、公開順を日付昇順として登録し、フォルダ名が「日付」および「催し名」のいずれをも含まないとき、公開順を日付降順として登録する。フォルダ名に「日付」または「催し名」が含まれているフォルダ内の画像データは、たとえば写真の画像データである場合、撮影された順序で表示すると、複数の写真が有するストーリー性を損なうことなく写真の画像を表示することができるので、より効果的に閲覧者に表示することができる。「日付」は、日付情報であり、「催し名」は、催し名称情報である。
【０１１７】
「日付」は、年月日、月日、年月、年、月および日を含む。「日付」は、数字だけ、数字および漢字の組み合わせ、ならびに数字およびローマ字の組み合わせなどで表わされてもよい。「日付」を数字だけで表わす場合、年月日の記載順は、年を「ＹＹＹＹ」または「ＹＹ」、月を「ＭＭ」、日を「ＤＤ」で表わしたとき、たとえば「ＹＹＹＹＭＭＤＤ」、「ＹＹＭＭＤＤ」、「ＭＭＤＤＹＹＹＹ」、「ＭＭＤＤＹＹ」および「ＭＭＤＤ」などの順に記載することができる。「日付」を数字および漢字の組み合わせで表わす場合、たとえば「２００９年１２月２４日」、「２００９年１０月」および「２００８年」などで表わされる。「日付」を数字およびローマ字の組み合わせで表わす場合、たとえば、月を英語のフルスペルまたは省略形で表わし、年と月と日とを、「＿」、「．」、「  （スペース）」などの記号で区切ってもよい。具体的には、「Ｊａｎ.１２,２０１０」、「Ｊａｎ．１２」および「２０１０  Ｊａｎ．１２」などと表示する。ローマ字については、大文字小文字の混在、および全角半角の混在を許容するようにしてもよい。
【０１１８】
「催し名」は、たとえば「正月」、「初詣」、「誕生日」、「同窓会」、「忘年会」、「歓送会」、「歓迎会」、「送迎会」、「七五三」、「クリスマス」、「祭り」、「発表会」、「学園祭」、「体育祭」、「運動会」、「遠足」、「旅行」および「地名」など催しに関連する名称であればよい。
【０１１９】
フォルダ名が制御用のキーワードである制御キーワード（以下単に「キーワード」ともいう）を含むとき、制御キーワードごとに予め定められる公開順を登録するようにしてもよい。制御キーワードを用いる場合は、「日付」および「催し名」よりも制御キーワードを優先する。すなわち、フォルダ名に制御キーワードが含まれているとき、そのフォルダ名に「日付」または「催し名」が含まれていても、フォルダ名に含まれている「日付」または「催し名」による公開順の判断は行わない。１つのフォルダ名に複数の制御キーワードが含まれているときは、制御キーワードは無効とし、制御キーワードによる公開順の判断は行わない。キーワードを表す情報は、キーワード情報である。
【０１２０】
制御キーワードは、たとえば「Ｒｅｖｅｒｓｅ」、「Ｒｅｗｉｎｄ」、「ＡＢＣ」、「Ｒａｎｄａｍ」および「お気に入り」などがある。「Ｒｅｖｅｒｓｅ」は、公開順を「日付降順」または「標準設定の逆順」として登録する。「標準設定」は、「日付降順」または「日付昇順」であり、第１一時記憶部２２に予め記憶されている。「標準設定」が「日付降順」に設定されているとき、「標準設定の逆順」は、「日付昇順」であり、「標準設定」が「日付昇順」に設定されているとき、「標準設定の逆順」は、「日付降順」である。「Ｒｅｗｉｎｄ」は、公開順を「日付降順」、または「標準設定の逆順」として登録する。
【０１２１】
「ＡＢＣ」は、公開順を「ＡＢＣ順」として登録する。「ＡＢＣ順」は、アルファベット順のことであり、ＤＬＮＡサーバは、コンテンツリストを作成するとき、公開順が「ＡＢＣ順」に設定されている場合、選択されたフォルダ名のフォルダに含まれるファイルについて、ファイル名に含まれるローマ字からなる文字列に基づいて、ファイル名をアルファベット順に並べ、数字も含む場合は、ローマ字からなる文字列によってアルファベット順に並べた後、同じ文字列について数字を昇順に並べる。
【０１２２】
「Ｒａｎｄａｍ」は、公開順を「アットランダムな順序」として登録する。「アットランダムな順序」は、規則性のない順序のことであり、ＤＬＮＡサーバは、コンテンツリストを作成するとき、公開順が「アットランダムな順序」に設定されている場合、たとえば乱数を発生させる関数を用いて乱数を発生し、発生した乱数を用いて、選択されたフォルダ名のフォルダに含まれるファイルのファイル名を不規則な順序で並べる。
【０１２３】
「お気に入り」は、たとえば公開順を「再生回数の多い順序」として登録する。この場合、ＤＬＮＡサーバは、ファイルを表示した回数あるいは再生した回数を再生回数として、ファイル名ごとに第１一時記憶部２２に記憶しておき、コンテンツリストを作成するとき、公開順が「再生回数の多い順序」に設定されている場合、選択されたフォルダ名のフォルダに含まれるファイルのファイル名を、第１一時記憶部２２に記憶されている再生回数に基づいて、再生回数の多い順序に並べる。
【０１２４】
制御キーワードは、これらに限定されるものではなく、他の制御キーワードを用いてもよい。また、たとえばユーザが操作部２９によって、制御キーワードおよびその制御キーワードについての公開順を第１一時記憶部２２に設定することができるようにし、ＤＬＮＡサーバは、第１一時記憶部２２に設定されている制御キーワードおよび公開順に従ってＤＢに公開順を登録するようにしてもよい。
【０１２５】
図１３に示したＤＢのデータ構造７１は、「公開フォルダ設定」の項目に「ＳＤ」が設定されており、ＳＤカード４のディレクトリ構成が図８に示したディレクトリ構成５０であるときのデータ構造である。データ構造７１の最上段の行には、「フォルダ名」の項目に、ディレクトリ構成５０の最上位の階層にあるフォルダのフォルダ名「Ｐｈｏｔｏ」が示され、「フォルダのパス」の項目に、「￥ｓｄｃａｒｄ￥Ｐｈｏｔｏ」が示され、「公開ファイル有無」の項目に、「ｎｏ」が示されている。「フォルダのパス」の項目に示される「￥ｓｄｃａｒｄ」は、ＳＤカード４のルートディレクトリを表す。「公開ファイル名」の項目および「公開順」の項目には、「−」が示されている。
【０１２６】
データ構造７１の第２番目の行には、「フォルダ名」の項目に、ディレクトリ構成５０の第２階層にあるフォルダのフォルダ名「カメラ」が示され、「フォルダのパス」の項目に、「￥ｓｄｃａｒｄ￥Ｐｈｏｔｏ￥カメラ」が示され、「公開ファイル有無」の項目に、「ｎｏ」が示され、「公開ファイル名」の項目および「公開順」の項目に、「−」が示されている。同様に、データ構造７１の第３番目の行には、「フォルダ名」の項目に、ディレクトリ構成５０の第２階層にあるフォルダのフォルダ名「写真」が示され、「フォルダのパス」の項目に、「￥ｓｄｃａｒｄ￥Ｐｈｏｔｏ￥写真」が示され、「公開ファイル有無」の項目に、「ｎｏ」が示され、「公開ファイル名」の項目および「公開順」の項目に、「−」が示されている。
【０１２７】
データ構造７１の第４番目の行には、「フォルダ名」の項目に、ディレクトリ構成５０の第３階層にあるフォルダのフォルダ名「ＡＡＡ１０００」が示され、「フォルダのパス」の項目に、「￥ｓｄｃａｒｄ￥Ｐｈｏｔｏ￥カメラ￥ＡＡＡ１０００」が示され、「公開ファイル有無」の項目に、「ｙｅｓ」が示され、「公開ファイル名」の項目に、「ＤＳＣ０００１．ｊｐｇ」が示され、「公開順」の項目に、「降順」が示されている。データ構造７１の第５番目以降の行に、同じフォルダ名「ＡＡＡ１０００」のフォルダに含まれるファイルについては、「公開ファイル名」の項目に、ファイル名「ＤＳＣ０００２．ｊｐｇ」〜ファイル名「ＤＳＣ０１００．ｊｐｇ」が示され、いずれも「公開順」の項目に、「降順」が示されている。
【０１２８】
図１３に示したＤＢのデータ構造７１は、ＳＤに記録されている順序、または本体に記憶されている順序に登録されているが、「公開順」の項目に示される順序で登録される場合は、フォルダ名「ＡＡＡ０１００」のフォルダ内のファイルは、「公開順」の項目が日付降順であるので、ファイル名「ＤＳＣ０１００．ｊｐｇ」〜「ＤＳＣ０００１．ｊｐｇ」の順に登録される。
【０１２９】
また、フォルダ名の項目が「２００９１２２４クリスマス会」であるフォルダ内のファイルについては、「フォルダのパス」の項目に、「￥ｓｄｃａｒｄ￥Ｐｈｏｔｏ￥写真￥２００９１２２４クリスマス会」が示され、「公開ファイル有無」の項目に、「ｙｅｓ」が示され、「公開ファイル名」の項目に、ファイル名「ＢＢＢ００１０．ｊｐｇ」、ファイル名「ＢＢＢ００１１．ｊｐｇ」およびファイル名「ＣＣＣ００１３．ｊｐｇ」が、この順序で示され、いずれも「公開順」の項目に、「昇順」が示されている。さらにまた、フォルダ名の項目が「誕生会」であるフォルダ内のファイルについては、「フォルダのパス」の項目に、「￥ｓｄｃａｒｄ￥Ｐｈｏｔｏ￥写真￥誕生会」が示され、「公開ファイル有無」の項目に、「ｙｅｓ」が示され、「公開ファイル名」の項目に、ファイル名「ＤＤＤ００１１．ｊｐｇ」、ファイル名「ＥＥＥ００１３．ｊｐｇ」およびファイル名「ＥＥＥ００２３．ｊｐｇ」が、この順序で示され、いずれも「公開順」の項目に、「昇順」が示されている。
【０１３０】
図１４は、コンテンツリストのデータ構造７２を示す図である。コンテンツリストは、公開するデータを含むフォルダ名が表示装置３のＤＬＮＡクライアントから知らされたとき、ＤＢに基づいて、携帯端末２のＤＬＮＡサーバ、つまり携帯サーバＡによって生成され、ＤＬＮＡクライアントに送信され、ＤＬＮＡクライアントによって表示装置３に表示される。
【０１３１】
コンテンツリストのデータ構造７２は、「リスト番号」、「公開ファイル名」および「フォルダのパス」の３つの項目を含む。「リスト番号」の項目は、公開する順序を示す番号であり、コンテンツリストの「公開ファイル名」の項目に登録されるファイルに、「１」からの整数が上昇順に付与される。「フォルダのパス」の項目は、「公開ファイル名」の項目に示されるファイル名のファイルを含むフォルダが記録されているＳＤまたは記憶されている本体のパスを示す。
【０１３２】
「公開ファイル名」の項目は、ＤＢの「フォルダ名」の項目に登録されているフォルダ名のうちＤＬＮＡクライアントから知らされた選択されたフォルダ名に含まれるファイルのファイル名を１つずつ登録する。ファイル名が「公開ファイル名」の項目に登録される順序は、ＤＢの「公開順」の項目に示される公開順であり、たとえば「公開順」の項目に示される公開順が日付降順であるときは、ＤＢの「公開ファイル名」の項目に登録されている順序とは逆の順序で登録され、「公開順」の項目に示される公開順が日付昇順であるときは、ＤＢの「公開ファイル名」の項目に登録されている順序で登録される。
【０１３３】
日付昇順あるいは日付降順は、ＤＢの「公開ファイル名」の項目に登録されている順序ではなく、ＳＤカード４あるいは第１一時記憶部２２に、画像データとともに記録あるいは記憶されている生成された日時を表す日時情報に基づいて登録する順序を決定してもよい。
【０１３４】
図１４に示したコンテンツリストのデータ構造７２には、「フォルダのパス」の項目に示される「￥ｓｄｃａｒｄ￥Ｐｈｏｔｏ￥写真￥２００９１２２４クリスマス会」のパスにあるフォルダ名「２００９１２２４クリスマス会」に含まれるフォルダが、リスト番号「１」に公開ファイル名「ＢＢＢ００１０．ｊｐｇ」が示され、リスト番号「２」に公開ファイル名「ＢＢＢ００１１．ｊｐｇ」が示され、リスト番号「３」に公開ファイル名「ＣＣＣ００１３．ｊｐｇ」が示されている。したがって、図１４に示されるコンテンツリストでは、ファイル名「ＢＢＢ００１０．ｊｐｇ」のファイル、ファイル名「ＢＢＢ００１１．ｊｐｇ」のファイル、およびファイル名「ＣＣＣ００１３．ｊｐｇ」の順にこれらのファイルの画像データが表示装置３に表示されることになる。
【０１３５】
図１５は、携帯端末２が実行する第１のＤＬＮＡ設定処理の処理手順を示すフローチャートである。第１のＤＬＮＡ設定処理は、ＤＬＮＡクライアントから要求があったときに公開ファイルをＤＬＮＡクライアントに公開することができるように、公開ファイルのＤＢを作成する処理である。ユーザが、携帯端末２の第１表示部２３に表示されるメニューからＤＬＮＡ設定の項目を選択すると、ステップＡ１に移る。
【０１３６】
ステップＡ１では、ＤＬＮＡサーバが起動される。具体的には、ＤＬＮＡサーバに含まれるＤＬＮＡ設定アプリが起動される。ステップＡ２では、起動されたＤＬＮＡサーバに含まれるＤＬＮＡ設定アプリは、ＤＬＮＡ設定画面、たとえば図７Ａ（ｃ）に示したＤＬＮＡ設定画面４１を第１表示部２３に表示する。ステップＡ３では、ユーザが操作部２９を操作することによってフォルダ設定を選択する。フォルダ設定は、図７Ｂ（ｄ）に示したＤＬＮＡ設定画面４１ａの「公開フォルダ設定」の項目を操作部２９によって選択することによって選択される。
【０１３７】
ステップＡ４では、ＤＬＮＡ設定アプリは、ステップＡ３で「公開フォルダ設定」の項目が選択されると、ＤＬＮＡ設定フォルダ設定画面、たとえば図７Ｂ（ｄ）に示したＤＬＮＡ設定フォルダ設定画面４１ｂを第１表示部２３に表示する。ステップＡ５では、ユーザが操作部２９を操作することによって、公開フォルダを選択する。ＤＬＮＡ設定フォルダ設定画面４１ｂには、選択対象の公開フォルダとして、公開フォルダが記録される記録媒体の名称、たとえば「ＳＤ」、および公開フォルダが記憶される記憶装置の名称、たとえば「本体」が表示される。ユーザは、表示された名称、たとえば「ＳＤ」および「本体」の中から公開させたい公開ファイルを含む公開フォルダの名称を選択する。
【０１３８】
ステップＡ６では、ＤＬＮＡ設定アプリは、ステップＡ５で公開フォルダが選択されると、ＤＬＮＡ設定画面、たとえば図７Ａ（ｃ）に示したＤＬＮＡ設定画面４１ｃを第１表示部２３に表示する。ＤＬＮＡ設定アプリは、ＤＬＮＡ設定画面４１ｃの「公開フォルダ設定」の項目に、選択された公開フォルダの名称、たとえば「ＳＤ」を表示する。ステップＡ７では、ユーザが操作部２９を操作することによって、サーバ稼働を選択する。サーバ稼働は、ＤＬＮＡサーバを起動して稼働させることである。具体的には、ユーザが操作部２９によって、図７Ｃ（ｅ）に示したＤＬＮＡ設定画面４１ｄの「起動ＯＮ／ＯＦＦフラグ」の項目の「起動ＯＮ」を選択することによって、サーバ稼働を選択する。「起動ＯＮ」の項目が選択されると、ＤＬＮＡサーバが起動され、ＤＬＮＡサーバは稼働状態となる。
【０１３９】
ステップＡ８では、ＤＬＮＡサーバは、ＤＢの構築を開始する。このとき、ＤＢの構築中であることを示すメッセージ、たとえば「ＤＬＮＡ準備中（ＤＢ）作成」というメッセージを、図７Ｃ（ｅ）に示したＤＬＮＡ設定画面４１ｅの中央部に表示する。ステップＡ９では、ＤＬＮＡサーバは、「公開フォルダ設定」の項目に設定されている公開フォルダの名称の記録媒体または記録装置にフォルダが記憶されているか否かを探索する。ステップＡ１０では、ＤＬＮＡサーバは、フォルダを検出したか否かを判定する。フォルダを検出したとき、ステップＡ１１に進み、フォルダを検出しなかったとき、ステップＡ１５に進む。
【０１４０】
ステップＡ１１では、ＤＬＮＡサーバは、検出したフォルダのフォルダ名にキーワードを含むか否かを判定する。キーワードを含むとき、ステップＡ１２に進み、キーワードを含まないとき、ステップＡ１３に進む。ステップＡ１２では、ＤＬＮＡサーバは、検出したフォルダ以下のファイル、つまり検出されたフォルダ内のファイルを公開ファイルとして日付昇順でＤＢに登録して、ステップＡ９に戻り、他のフォルダについてステップＡ９〜Ａ１４を繰り返す。ステップＡ１３では、ＤＬＮＡサーバは、フォルダ名に日付または催し名を含むか否かを判定する。フォルダ名に日付または催し名を含むとき、ステップＡ１２に進み、日付および催し名のいずれをも含まないとき、ステップＡ１４に進む。ステップＡ１４では、ＤＬＮＡサーバは、フォルダ以下のファイルを公開ファイルとして日付降順でＤＢに登録して、ステップＡ９に戻り、他のフォルダについてステップＡ９〜Ａ１４を繰り返す。
【０１４１】
ステップＡ１５では、ＤＬＮＡサーバは、ネットワークに接続されていることを確認する。具体的には、ＤＬＮＡサーバは、第１通信部２４がネットワークと通信可能な状態になっていることを確認する。ステップＡ１６では、ＤＬＮＡサーバは、ネットワークと接続中であるか否かを判定する。第１通信部２４がネットワークと通信可能な状態であるとき、ネットワークと接続中であると判定し、ステップＡ１７に進み、第１通信部２４がネットワークと通信可能な状態でないとき、ＤＬＮＡクライアントがネットワークと接続中でないと判定し、ステップＡ１９に進む。
【０１４２】
ステップＡ１７では、ＤＬＮＡサーバは、ＤＬＮＡサーバの準備ができたことを示すメッセージ、たとえば「ＤＬＮＡ準備できました。」というメッセージを、図７Ｃ（ｅ）に示したＤＬＮＡ設定画面４１ｆの中央部に表示するとともに、ＤＬＮＡクライアントに対する処理を開始し、ＤＬＮＡクライアントに対する処理を開始したことを、ＤＬＮＡクライアントに通知する。ＤＬＮＡクライアント、たとえば表示装置３は、この通知を受けると、通知を発したＤＬＮＡサーバをサーバリストに登録する。
【０１４３】
ステップＡ１８では、ＤＬＮＡサーバは、ＤＬＮＡクライアントからの処理要求の受け付けを開始し、第１のＤＬＮＡ設定処理を終了する。ステップＡ１９では、ＤＬＮＡサーバは、ネットワークへの接続を待ち、接続されたことを示す接続イベントが知らされたとき、ステップＡ１７に進む。接続イベントは、第１通信部２４がネットワークと通信可能な状態になったとき、第１通信部２４がＤＬＮＡサーバに、ネットワークに接続されたことを知らせるイベントである。
【０１４４】
図１６は、携帯端末２が実行する第１のコンテンツリスト送信処理の処理手順および表示装置３が実行する第１のコンテンツリスト要求処理の処理手順を対応付けて示すフローチャートである。図７Ｃ（ｅ）に示したＤＬＮＡ設定画面４１ｄで「起動ＯＮ／ＯＦＦフラグ」の項目の「起動ＯＮ」が操作部２９によって選択されると、ＤＬＮＡサーバが起動され、ＤＬＮＡサーバは、ステップＢ１に移る。また、図９Ａ（ｂ）に示した画面６１１に表示されたメニュー６１１ａでリモコン３８によって「３．ＤＬＮＡ」の項目が選択されると、ＤＬＮＡクライアントが起動され、ＤＬＮＡクライアントは、ステップＣ１に移る。
【０１４５】
ステップＢ１では、ＤＬＮＡサーバが起動される。ステップＢ２では、ＤＬＮＡサーバは、ＤＢの構築後、図７Ｃ（ｅ）に示したＤＬＮＡ設定画面４１ｈを表示して稼働状態となる。ステップＢ３では、ＤＬＮＡサーバは、第１通信部２４がＤＬＮＡクライアントからトップディレクトリ情報要求を受信するのを待ち、第１通信部２４がＤＬＮＡクライアントからトップディレクトリ情報要求を受信するとステップＢ４に進む。トップディレクトリ情報は、「公開フォルダ設定」の項目に設定されている公開フォルダのトップディレクトリにあるフォルダの一覧を表すトップディレクトリリストのことである。トップディレクトリ情報要求は、ＤＬＮＡクライアントがＤＬＮＡサーバに、トップディレクトリリストの送信を要求するものである。トップディレクトリ情報要求は、図１６に示した後述するステップＣ６で送信されたトップディレクトリ情報要求である。
【０１４６】
ステップＢ４では、ＤＬＮＡサーバは、ＤＢからトップディレクトリ情報を読み出す。具体的には、ＤＢから、最上位の階層の直下にある第２階層のフォルダ名を読み出し、読み出したフォルダ名の一覧をトップディレクトリリスト、つまりトップディレクトリ情報とする。ステップＢ５では、ＤＬＮＡサーバは、第１通信部２４によってトップディレクトリ情報をＤＬＮＡクライアントに送信する。
【０１４７】
ステップＢ６では、ＤＬＮＡサーバは、第１通信部２４がＤＬＮＡクライアントから、送信したトップディレクトリリストから選択されたフォルダ名のフォルダ情報要求を受信するのを待つ。フォルダ情報は、トップディレクトリリストから選択されたフォルダ名のフォルダ内にフォルダがあるときは、フォルダ内にあるフォルダの一覧であるフォルダリストのことであり、トップディレクトリリストから選択されたフォルダ名のフォルダ内にフォルダはなく、ファイルがあるときは、フォルダ内にあるファイルの一覧であるコンテンツリストのことである。フォルダ情報としてコンテンツリストは、フォルダリストともいう。フォルダ情報要求は、ＤＬＮＡクライアントがＤＬＮＡサーバに、フォルダリストの送信を要求するものである。
【０１４８】
ＤＬＮＡサーバは、第１通信部２４がＤＬＮＡクライアントからフォルダ情報要求、たとえば”写真”フォルダ情報要求を受信すると、ステップＢ７に進む。”写真”フォルダ情報要求は、フォルダ名「写真」のフォルダ内にあるフォルダのフォルダリストを要求するものであり、トップディレクトリ情報が示すトップディレクトリにあるフォルダのフォルダ名、たとえばフォルダ名「写真」およびフォルダ名「カメラ」から、ＤＬＮＡクライアントによって「写真」が選択された場合に、図１６に示したステップＣ１０で送信された”写真”フォルダ情報要求である。トップディレクトリにあるフォルダのフォルダ名から、ＤＬＮＡクライアントによって「カメラ」が選択された場合は、ＤＬＮＡクライアントから”カメラ”フォルダ情報要求が送信される。
【０１４９】
ステップＢ７では、ＤＬＮＡサーバは、ＤＢから”写真”フォルダ情報を読み出す。具体的には、ＤＢから、フォルダ名「写真」のフォルダ内にあるフォルダのフォルダ名を読み出し、読み出したフォルダ名の一覧をフォルダリスト、つまり”写真”フォルダ情報とする。ステップＢ８では、ＤＬＮＡサーバは、第１通信部２４によって”写真”フォルダ情報をＤＬＮＡクライアントに送信する。
【０１５０】
ステップＢ９では、ＤＬＮＡサーバは、第１通信部２４がフォルダ情報要求を受信するのを待つ。ＤＬＮＡサーバは、第１通信部２４がＤＬＮＡクライアントから、リモコン３８によって選択されたフォルダ名のフォルダ情報要求、たとえば”２００９１２２４クリスマス会”フォルダ情報要求を受信すると、ステップＢ１０に進む。”２００９１２２４クリスマス会”フォルダ情報は、ＤＬＮＡクライアントがＤＬＮＡサーバに、「写真」フォルダ内にあるフォルダのフォルダ名の中から選択されたフォルダ名「２００９１２２４クリスマス会」のフォルダ内にあるフォルダのフォルダリストである。”２００９１２２４クリスマス会”フォルダ情報要求は、”２００９１２２４クリスマス会”フォルダ情報の送信を要求するものであり、図１６に示したステップＣ１４で送信された”２００９１２２４クリスマス会”フォルダ情報要求である。
【０１５１】
ステップＢ１０では、ＤＬＮＡサーバは、ＤＢから”２００９１２２４クリスマス会”フォルダ情報を読み出す。具体的には、フォルダ名「２００９１２２４クリスマス会」のフォルダ内にフォルダはないので、ＤＬＮＡサーバは、ＤＢから、フォルダ名「２００９１２２４クリスマス会」のフォルダ内にあるファイルのファイル名を読み出し、読み出したファイル名の一覧をフォルダリスト、つまり”２００９１２２４クリスマス会”フォルダ情報とする。ステップＢ１１では、ＤＬＮＡサーバは、”２００９１２２４クリスマス会”フォルダ情報を第１通信部２４によってＤＬＮＡクライアントに送信して、第１のコンテンツリスト送信処理を終了する。
【０１５２】
ステップＣ１では、ＤＬＮＡクライアントが起動される。ステップＣ２では、ＤＬＮＡクライアントは、トップ画面、たとえば図９Ａ（ｃ）示したトップ画面６１２を表示する。ステップＣ３では、ユーザが「ＤＬＮＡサーバリスト表示」の項目を選択する。「ＤＬＮＡサーバリスト表示」の項目は、たとえば図９Ａ（ｃ）示したトップ画面６１２に表示される「赤ボタンで、サーバ選択」という項目６１２ａである。ユーザはリモコン３８の赤ボタンを操作することによって、「ＤＬＮＡサーバリスト表示」の項目を選択することができる。ステップＣ４では、ＤＬＮＡクライアントは、サーバ選択画面、たとえば図９Ａ（ｄ）に示したサーバ選択画面６１３にサーバリストを表示する。
【０１５３】
ステップＣ５では、ユーザがサーバ選択画面６１３に表示されたサーバリストの中から所望のＤＬＮＡサーバ、たとえば”携帯サーバＡ”をリモコン３８によって選択する。携帯サーバＡは、携帯端末２のＤＬＮＡサーバである。ステップＣ６では、ＤＬＮＡクライアントは、リモコン３８によって選択されたＤＬＮＡサーバ、たとえば”携帯サーバＡ”に、トップディレクトリ情報要求を第２通信部３４によって送信する。ステップＣ７では、ＤＬＮＡクライアントは、ＤＬＮＡサーバからトップディレクトリ情報要求を第２通信部３４によって受信する。このトップディレクトリ情報は、図１６に示したステップＢ５で送信されたトップディレクトリ情報である。
【０１５４】
ステップＣ８は、ＤＬＮＡクライアントは、トップディレクトリ画面、たとえば図１０（ａ）に示したトップディレクトリ画面６２に、ＤＬＮＡサーバから受信したトップディレクトリ情報を、トップディレクトリリストとして表示する。ステップＣ９は、ユーザは、表示されたトップディレクトリリストからリモコン３８によって所望のフォルダ、たとえばフォルダ名「写真」を選択する。ステップＣ１０は、ＤＬＮＡクライアントは、選択されたフォルダ名のフォルダ情報を要求するフォルダ情報要求、たとえば”写真”フォルダ情報要求を、第２通信部３４によって携帯サーバＡに送信する。
【０１５５】
ステップＣ１１では、ＤＬＮＡクライアントは、第２通信部３４によって送信したフォルダ名のフォルダ情報、たとえば”写真”フォルダ情報を、ＤＬＮＡサーバから第２通信部３４によって受信する。この”写真”フォルダ情報は、図１６に示したステップＢ８で送信された”写真”フォルダ情報である。ステップＣ１１では、ＤＬＮＡクライアントは、ＤＬＮＡサーバから受信した”写真”フォルダ情報を、”写真”フォルダリストとして表示する。ステップＣ１３は、ユーザは、表示された”写真”フォルダリストからリモコン３８によって所望のフォルダ、たとえばファイル名「２００９１２２４クリスマス会」を選択する。ステップＣ１４は、ＤＬＮＡクライアントは、選択されたフォルダのフォルダ情報を要求するフォルダ情報要求、たとえば”２００９１２２４クリスマス会”フォルダ情報要求を、第２通信部３４によって携帯サーバＡに送信する。
【０１５６】
ステップＣ１５では、ＤＬＮＡクライアントは、第２通信部３４によって送信したフォルダのフォルダ情報、たとえば”２００９１２２４クリスマス会”フォルダ情報を、第２通信部３４によってＤＬＮＡサーバから受信する。この”２００９１２２４クリスマス会”フォルダ情報は、図１６に示したステップＢ１１で送信された”２００９１２２４クリスマス会”フォルダ情報である。ステップＣ１６では、ＤＬＮＡクライアントは、ＤＬＮＡサーバから受信した”２００９１２２４クリスマス会”フォルダ情報を、”２００９１２２４クリスマス会”フォルダリストとして、たとえば図１０（ｂ）に示した写真リスト表示画面６２１のように表示して、第１のコンテンツリスト要求処理を終了する。
【０１５７】
図１７は、携帯端末２が実行する画像送信処理の処理手順および表示装置３が実行する画像表示処理の処理手順を対応付けて示すフローチャートである。ＤＬＮＡサーバは、図１６に示したステップＢ１１で、第１のコンテンツリスト送信処理を終了すると、ステップＤ１に移る。また、ＤＬＮＡクライアントは、図１６に示したステップＣ１６で、第１のコンテンツリスト要求処理を終了すると、ステップＥ１に移る。
【０１５８】
ステップＤ１では、ＤＬＮＡサーバは、第１通信部２４がＤＬＮＡクライアントから、リモコン３８によって選択されたファイル名のデータ要求を受信するのを待つ。データ要求は、リモコン３８によって選択されたファイル名のファイルに記憶されるデータの送信を要求するものである。ＤＬＮＡサーバは、第１通信部２４がＤＬＮＡクライアントからリモコン３８によって選択されたファイル名のデータ要求、たとえば写真”ＢＢＢ００１０”データ要求を受信すると、ステップＤ２に進む。写真”ＢＢＢ００１０”データ要求は、ＤＬＮＡクライアントがＤＬＮＡサーバに、ファイル名「ＢＢＢ００１０」のファイルの画像データの送信を要求するものであり、図１７に示したステップＥ２で送信された写真”ＢＢＢ００１０”データ要求である。
【０１５９】
ステップＤ２では、ＤＬＮＡサーバは、ステップＤ１で第１通信部２４によって受信したデータ要求が示すファイル名のファイルに記憶される画像データ、たとえばファイル名「ＢＢＢ００１０」のファイルの画像データを、ＳＤカード４から読み出す。ステップＤ３では、ＤＬＮＡサーバは、ステップＤ２で読み出した画像データ、つまりファイル名「ＢＢＢ００１０」のファイルの画像データを、写真”ＢＢＢ００１０”データとして第１通信部２４によってＤＬＮＡクライアントに送信する。
【０１６０】
ステップＤ４では、ＤＬＮＡサーバは、第１通信部２４がＤＬＮＡクライアントから、リモコン３８によって選択されたファイル名のデータ要求を受信するのを待つ。ＤＬＮＡサーバは、第１通信部２４がＤＬＮＡクライアントからリモコン３８によって選択されたファイル名のデータ要求、たとえば写真”ＢＢＢ００１１”データ要求を受信すると、ステップＤ５に進む。写真”ＢＢＢ００１１”データ要求は、ＤＬＮＡクライアントがＤＬＮＡサーバに、フォルダ名「ＢＢＢ００１１」のファイルの画像データの送信を要求するものであり、図１７に示したステップＥ１０でで送信された写真”ＢＢＢ００１１”データ要求である。
【０１６１】
ステップＤ５では、ＤＬＮＡサーバは、ステップＤ４で第１通信部２４によって受信したデータ要求が示すファイル名のファイルに記憶される画像データ、たとえばファイル名「ＢＢＢ００１１」のファイルの画像データを、ＳＤカード４から読み出す。ステップＤ６では、ＤＬＮＡサーバは、ステップＤ５で読み出した画像データ、つまりファイル名「ＢＢＢ００１１」のファイルの画像データを、写真”ＢＢＢ００１１”データとして第１通信部２４によってＤＬＮＡクライアントに送信して、画像送信処理を終了する。
【０１６２】
ステップＥ１で、ユーザは、写真リスト表示画面、たとえば図１０（ｂ）に示した写真リスト表示画面６２１に表示された”２００９１２２４クリスマス会”フォルダリストからリモコン３８によって所望のファイル名、たとえばファイル名「ＢＢＢ００１０」を選択する。ステップＥ２で、ＤＬＮＡクライアントは、ステップＥ１で選択されたファイル名のファイルの画像データのデータ要求、たとえばファイル名「ＢＢＢ００１０」のファイルの画像データのデータ要求である写真”ＢＢＢ００１０”データ要求を第２通信部３４によってＤＬＮＡサーバに送信する。
【０１６３】
ステップＥ３では、ＤＬＮＡクライアントは、携帯サーバＡつまり携帯端末２のＤＬＮＡサーバから写真”ＢＢＢ００１０”データを第２通信部３４によって受信する。この写真”ＢＢＢ００１０”データは、図１７に示したステップＤ３で送信された写真”ＢＢＢ００１０”データである。ステップＥ４で、ＤＬＮＡクライアントは、ステップＥ３で第２通信部３４によって受信した写真”ＢＢＢ００１０”データを再生する。すなわち、受信した写真”ＢＢＢ００１０”データ、つまりファイル名「ＢＢＢ００１０」のファイルの画像データの画像を第２表示部３３に、たとえば図１０（ｃ）に示した写真表示画面６２２のように表示する。
【０１６４】
ステップＥ５では、ＤＬＮＡクライアントは、タイマを開始する。具体的には、表示装置３に含まれるタイマなどの図示しない計時手段によって、所定時間、たとえば５秒の時間の計時を開始する。ステップＥ６では、操作があったか否かを判定する。タイマが所定時間を計時してもリモコン３８による操作がなかったとき、ステップＥ７に進み、タイマが所定時間を計時する前にリモコン３８による操作があったとき、操作に応じた処理に移る。操作が、右カーソルキーによる操作のときは、ステップＥ８に進んで次の写真を表示し、操作が戻るキーによる操作のときは、ステップＣ１６に戻り、コンテンツリスト、たとえば”２００９１２２４クリスマス会”フォルダリストを、たとえば図１０（ｂ）に示した写真リスト表示画面６２１のように表示する。
【０１６５】
ステップＥ７では、ＤＬＮＡクライアントは、タイマを停止する。具体的には、図示しない計時手段による計時を停止する。ステップＥ８では、ＤＬＮＡクライアントは、コンテンツリスト、たとえば”２００９１２２４クリスマス会”フォルダリストから、次番の情報、たとえば”ＢＢＢ００１１”を取得する。”ＢＢＢ００１１”は、ファイル名「ＢＢＢ００１１」のことである。ステップＥ９で、ＤＬＮＡクライアントは、ステップＥ８で取得した次番の情報、たとえばファイル名「ＢＢＢ００１１」のファイルの画像データのデータ要求である写真”ＢＢＢ００１１”データ要求を第２通信部３４によってＤＬＮＡサーバに送信する。
【０１６６】
ステップＥ１０では、ＤＬＮＡクライアントは、第２通信部３４によって携帯サーバＡから写真”ＢＢＢ００１１”データを受信する。この写真”ＢＢＢ００１１”データは、図１７に示したステップＤ６で送信された写真”ＢＢＢ００１１”データである。ステップＥ１１で、ＤＬＮＡクライアントは、ステップＥ１０で第２通信部３４によって受信した写真”ＢＢＢ００１１”データを再生する。すなわち、受信した写真”ＢＢＢ００１０”データ、つまりファイル名「ＢＢＢ００１０」のファイルの画像データの画像を第２表示部３３に、たとえば図１０（ｄ）に示した写真表示画面６２３のように表示して、ステップＥ５に戻る。図１７に示したステップＤ１〜Ｄ６およびステップＥ１〜Ｅ１１は、公開ステップである。
【０１６７】
図１８は、携帯端末２が実行する第２のＤＬＮＡ設定処理の処理手順を示すフローチャートである。図１５に示した第１のＤＬＮＡ設定処理では、ファイル名をＤＢに登録するとき、フォルダ名に基づいて、登録する順序を決定したが、第２のＤＬＮＡ設定処理は、ファイル名をＤＢに登録するときは、ＳＤなどの記録媒体に記録されている順序、または本体などの記憶装置に記憶されている順序と同じ順序で登録する。そしてＤＬＮＡクライアントからの要求によってコンテンツリストを作成するときに、ＤＢに登録されている公開順でコンテンツリストを作成する。
【０１６８】
ユーザが、携帯端末２の第１表示部２３に表示されるメニューからＤＬＮＡ設定の項目を選択すると、ステップＦ１に移る。ステップＦ１〜Ｆ１０，Ｆ１２〜Ｆ１６の各処理は、それぞれ図１５に示したステップＡ１〜Ａ１０，Ａ１５〜Ａ１９の各処理と同じ処理を行うので、重複を避けるために説明は省略する。
【０１６９】
ステップＦ１１では、ＤＬＮＡサーバは、検出したフォルダ以下のファイル、つまり検出されたフォルダ内のファイルを公開ファイルとしてＤＢに登録して、ステップＦ９に戻り、他のフォルダについてステップＦ９〜Ｆ１１を繰り返す。具体的には、ＤＬＮＡサーバは、ＳＤなどの記録媒体にファイルが記録されている順序、または本体などの記憶装置にファイルが記憶されている順序と同じ順序で、ファイルのファイル名をＤＢに登録する。ＳＤなどの記録媒体にファイルが記録されている順序、または本体などの記憶装置にファイルが記憶されている順序とは、ＳＤなどの記録媒体または本体などの記憶装置のディレクトリ構成、たとえば図８に示したディレクトリ構成５０の順序である。
【０１７０】
図１９は、携帯端末２が実行する第２のコンテンツリスト送信処理の処理手順および表示装置３が実行する第２のコンテンツリスト要求処理の処理手順を対応付けて示すフローチャートである。第２のコンテンツリスト要求処理および第２のコンテンツリスト送信処理は、ＤＢが図１８に示した第２のＤＬＮＡ設定処理で設定されているときに実行される処理であり、ＤＬＮＡサーバは、ＤＬＮＡクライアントからコンテンツリストの送信の要求があったときに、ＤＢに登録されている公開順でコンテンツリストを作成する。
【０１７１】
図１６に示した第１のコンテンツリスト送信処理のステップＢ１〜Ｂ８は、第２のコンテンツリスト送信処理でも実行されるが、図１９では省略している。第２のコンテンツリスト要求処理では、第１のコンテンツリスト送信処理のステップＢ８が実行された後、ステップＧ１に移る。ステップＧ１，Ｇ２，Ｇ６の各処理は、それぞれ図１６に示したステップＢ９〜Ｂ１１の各処理と同じ処理を行うので、重複を避けるために説明は省略する。
【０１７２】
ステップＧ３では、ＤＬＮＡサーバは、フォルダ名をチェックする。具体的には、ＤＬＮＡサーバは、ステップＧ１で受信したフォルダ情報要求のフォルダ名が日付または催し名を含むか否かをチェックする。ステップＧ４では、ＤＬＮＡサーバは、フォルダ名が日付または催し名を含むか否かを判定する。フォルダ名が日付または催し名を含むとき、ステップＧ５に進み、フォルダ名が日付および催し名のいずれをも含まないとき、ステップＧ６に進む。ステップＧ５では、ＤＬＮＡサーバは、ステップＧ２読み出したファイル名の一覧であるコンテンツリスト、たとえばフォルダ名「２００９１２２４クリスマス会」のフォルダ内のファイルのファイル名の一覧であるコンテンツリストである”２００９１２２４クリスマス会”フォルダ情報のファイル名を日付昇順に並べ換える。
【０１７３】
また、図１６に示した第１のコンテンツリスト要求処理のステップＣ１〜Ｃ１１は、第２のコンテンツリスト要求処理でも実行されるが、図１９では省略している。第１のコンテンツリスト要求処理のステップＣ１１が実行された後、ステップＨ１に移る。第２のコンテンツリスト要求処理では、ステップＨ１〜Ｈ５の各処理は、それぞれ図１６に示したステップＣ１２〜Ｃ１６の各処理と同じ処理を行うので、重複を避けるために説明は省略する。図１６に示したステップＣ１２〜Ｃ１４または図１９に示したステップＨ１〜Ｈ３は、選択ステップである。図１６に示したステップＢ９〜Ｂ１１または図１９に示したステップＧ１〜Ｇ６は、生成ステップである。
【０１７４】
このように、上述した実施形態では、携帯端末２が、ＤＢに基づいてコンテンツリストを作成して表示装置３に送信し、表示装置３は、携帯端末２から受信したコンテンツリストを表示する構成であり、表示装置３がＤＢからコンテンツリストを作成する必要はない。テレビジョン装置などの表示装置３の処理能力は、パーソナルコンピュータの処理能力よりも低いので、表示装置３でコンテンツリストを作成することは、第２ＣＰＵ３０にとって大きな負担になり、優先すべき処理の妨げとなる。処理能力は、たとえば、ＣＰＵの処理速度、ならびに一時記憶部の記憶容量およびアクセス速度である。
【０１７５】
また、ＤＢ作成時に、公開順にファイル名を登録しておけば、コンテンツリスト作成時に並べ換える必要がないので、短時間でコンテンツリストを作成することができる。しかし、ファイル名を並べ換えることができない他のアプリ、たとえばフォトビューアなどのアプリとＤＢを共有する場合、コンテンツリスト作成時に並べ換えることにすることによって、該他のアプリとＤＢを共有することができる。
【０１７６】
さらに、写真の画像データのファイルである写真ファイルは、撮影されたものを整理するときに同一テーマ、あるいは同一イベントのものをフォルダごとにまとめることが一般的である。写真ファイルは、写真の画像データのファイルである。画像表示システム１は、このように整理されたフォルダ、具体的には、日付、クリスマス会などの催し名が含まれるフォルダにある複数の写真ファイルを、ネットワークに接続されたテレビジョン装置でリモートコントロール操作によって閲覧するとき、テレビジョン装置で一枚ずつ選択したり、表示順序を予め設定したりすることなく、クリスマス会の始まりに撮影した写真から、撮影した順序で、テレビジョン装置の画面一杯に表示することができる。
【０１７７】
フォルダごとに整理されていない写真を見るときには、新しいものから順次たどりながら、テレビジョン装置に表示することによって、携帯端末２で操作するときと同様の順序で閲覧することができ、目的のものを見つける際などに有用である。
【０１７８】
また、他にも、フォルダ名を予め定める命名規則に従って命名することによって、たとえばフォルダ名に制御用のキーワードを含ませることによって、公開するファイルを、表示順序・リスト順を日付昇順、日付降順、あるいはあいうえお順などに指定することができ、ファイルの特性にあった順序でネットワーク上に公開することが可能となる。
【０１７９】
上述した実施形態では、携帯端末２でＤＬＮＡサーバがＤＢを作成するときに登録する公開順は、製品出荷時には予め設定されており、製品出荷後は固定である。製品出荷後にもＤＢへの公開順の登録を変更可能とするために、たとえば携帯端末２のメーカを識別するためのメーカ識別情報ごとに、フォルダ名に含まれる日付もしくは催し名またはキーワードに対する公開順を定めた公開順情報を予め生成して、ＤＬＮＡサーバのプログラムとともに第１記憶部２１に記憶しておく。そして、ＤＬＮＡサーバは、ＤＢを作成するとき、携帯端末２のメーカ識別情報を、携帯端末２のハードウエア、たとえば第１記憶部２１から読み出し、読み出したメーカ識別情報に対応する公開順情報に基づく公開順をＤＢに登録するようにしてもよい。
【０１８０】
携帯端末２のメーカ識別情報の代わりに、表示装置３が内蔵するＤＬＮＡクライアントのプログラムのメーカのメーカ識別情報を用いることも可能である。この場合、メーカ識別情報は、表示装置３から取得する。
【０１８１】
上述した実施形態では、第１ＣＰＵ２０で実行されるプログラムは、第１記憶部２１に記憶され、実行時に、第１記憶部２１から読み出されて第１一時記憶部２２に記憶され、また、第２ＣＰＵ３０で実行されるプログラムは、第２記憶部３１に記憶され、実行時に、第２記憶部３１から読み出されて第２一時記憶部３２に記憶される。しかしながら、プログラムが記憶されるのは、第１記憶部２１および第２記憶部３１などの記憶装置に限定されるものではなく、第１ＣＰＵ２０および第２ＣＰＵ３０などのコンピュータで読取り可能な記録媒体に記録しておき、実行時に、この記録媒体から読み出して第１一時記憶部２２および第２一時記憶部３２に記憶させる構成であってもよい。記録媒体は、たとえば図示しない外部記憶装置としてプログラム読取装置を設け、そこに記録媒体を挿入することによって読取り可能な記録媒体であってもよいし、あるいは他の装置の記憶装置であってもよい。
【０１８２】
いずれの記録媒体であっても、記憶されているプログラムがコンピュータからアクセスされて実行される構成であればよい。あるいはいずれの記録媒体であっても、プログラムが読み出され、読み出されたプログラムが、第１一時記憶部２２および第２一時記憶部３２に記憶されて、そのプログラムが実行される構成であればよい。さらに通信ネットワークを介して他の装置からダウンロードされて第１一時記憶部２２および第２一時記憶部３２に記憶させてもよい。ダウンロード用のプログラムは、予め第１記憶部２１および第２記憶部３１に記憶しておくか、あるいは別な記録媒体から第１一時記憶部２２および第２一時記憶部３２にインストールしておく。
【０１８３】
本体と分離可能に構成される記録媒体は、たとえば磁気テープ／カセットテープなどのテープ系の記録媒体、フレキシブルディスク／ハードディスクなどの磁気ディスクもしくはＣＤ−ＲＯＭ（Compact Disk Read Only Memory）／ＭＯ（Magneto Optical disk）／ＭＤ（Mini Disc）／ＤＶＤ（Digital Versatile Disk）などの光ディスクのディスク系の記録媒体、ＩＣ（Integrated Circuit）カード（メモリカードを含む）／光カードなどのカード系の記録媒体、またはマスクＲＯＭ／ＥＰＲＯＭ（Erasable Programmable Read Only Memory）／ＥＥＰＲＯＭ（Electrically Erasable Programmable Read Only 
Memory）／フラッシュＲＯＭなどの半導体メモリを含む固定的にプログラムを担持する記録媒体であってもよい。したがって、本発明は、コンピュータに画像表示方法の各ステップを実行させるためのプログラムを記録したコンピュータ読み取り可能な記録媒体として提供することができる。
【０１８４】
このように、第１一時記憶部２２は、データを公開する表示装置３で公開するための複数の公開データを、各公開データを識別するためのファイル名と対応付けて、かつ前記複数の公開データを個別のフォルダ名が付与された複数のフォルダに分けて記憶するとともに、各フォルダのフォルダ名を記憶する。第１ＣＰＵ２０および第１通信部２４は、第１一時記憶部２２に記憶されるフォルダ名を読み出し、読み出したフォルダ名を表示装置３に送信する。第１ＣＰＵ２０および第１通信部２４は、第１ＣＰＵ２０および第１通信部２４によって送信されたフォルダ名の中から選択されたフォルダ名を表示装置３から受信する。第１ＣＰＵ２０は、第１ＣＰＵ２０および第１通信部２４によって受信されたフォルダ名が示すフォルダに分けられた公開データのファイル名を第１一時記憶部２２から読み出し、読み出したファイル名を、前記受信されたフォルダ名に基づいて定まる公開順に従って配列したコンテンツリストを生成する。そして、第１ＣＰＵ２０および第１通信部２４は、第１ＣＰＵ２０によって生成されたコンテンツリストを表示装置３に送信する。
【０１８５】
したがって、フォルダ名などのフォルダ識別情報に含まれる情報に応じて公開データの公開順序を制御することができるので、画像などのデータをネットワークに接続された別の装置に公開するとき、どのような順序で公開するかを簡単に変更することができる。
【０１８６】
さらに、第１一時記憶部２２は、各公開データが生成された日時を表す日時情報を記憶する。第１一時記憶部２２に記憶されるフォルダ名は、公開データが生成された日付を含むフォルダ名と、日付を含まないフォルダ名とがある。そして、第１ＣＰＵ２０は、前記受信されたフォルダ名が日付を含むとき、ファイル名を第１一時記憶部２２に記憶される日時情報が示す日時の昇順に配列したコンテンツリストを生成し、前記受信されたフォルダ名が日付を含まないとき、ファイル名を第１一時記憶部２２に記憶される日時情報が示す日時の降順に配列したコンテンツリストを生成する。したがって、フォルダ名、たとえばフォルダ名に日付、たとえば年月日を含ませておくことによって、そのフォルダに含まれる公開データを生成した順序で表示することができる。
【０１８７】
さらに、第１一時記憶部２２は、各公開データが生成された日時を表す日時情報を記憶する。第１一時記憶部２２に記憶されるフォルダ名は、催しの名称を表す催し名を含むフォルダ名と、催し名を含まないフォルダ名とがある。そして、第１ＣＰＵ２０は、前記受信されたフォルダ名が催し名を含むとき、ファイル名を第１一時記憶部２２に記憶される日時情報が示す日時の昇順に配列したコンテンツリストを生成し、前記受信されたフォルダ名が催し名を含まないとき、ファイル名を第１一時記憶部２２に記憶される日時情報が示す日時の降順に配列したコンテンツリストを生成する。したがって、フォルダ識別情報フォルダ名などのフォルダ識別情報に催し名称を含ませておくことによって、そのフォルダに含まれる公開データを生成した順序で表示することができ、ストーリー性を損なうことがない。
【０１８８】
さらに、第１一時記憶部２２に記憶されるフォルダ名は、キーワードを含むフォルダ名と、キーワードを含まないフォルダ名とがある。第１ＣＰＵ２０は、前記受信されたフォルダ名がキーワードを含むとき、ファイル名をキーワードに基づいて定まる公開順に従って配列したコンテンツリストを生成するので、フォルダ名などのフォルダ識別情報にキーワードを含ませておくことによって、そのフォルダに含まれる公開データを生成した順序または生成した順序と逆の順序で表示することができる。
【０１８９】
さらに、第１一時記憶部２２は、各携帯端末装置を製造したメーカを識別するメーカ識別情報を記憶する。そして、前記受信されたフォルダ名に基づいて定まる公開順は、第１一時記憶部２２に記憶されるメーカ識別情報に基づいて設定されるので、メーカの異なる携帯端末２ごとに異なる表示順序で表示することができる。
【０１９０】
さらに、第１一時記憶部２２に記憶される公開データは、画像を表す画像データである。そして、フォトビューアは、第１一時記憶部２２に記憶されるフォルダ名の中から選択されるフォルダ名が示すフォルダに分けられた画像データを、前記受信されたフォルダ名に基づいて定まる公開順とは異なる予め定める基準に基づいて定まる配列順序、たとえば日付降順で表示する。したがって、フォトビューアなどの画像表示手段の表示順序を独立に設定することができる。
【０１９１】
さらに、データを公開する表示装置３と、表示装置３で公開するための複数の公開データを、各公開データを識別するためのファイル名と対応付けて、かつ前記複数の公開データを個別のフォルダ名が付与された複数のフォルダに分けて記憶するとともに、各フォルダのフォルダ名を記憶する携帯端末２とを含む画像表示システム１で情報を公開するにあたって、表示装置３は、携帯端末２に記憶されるフォルダ情報を表示し、表示したフォルダ名の中から公開すべきフォルダのフォルダ名を選択する。携帯端末２は、表示装置３が選択したフォルダ名が示すフォルダに分けられた公開データのファイル名を、該選択したフォルダ名に基づいて定まる公開順に従って配列したコンテンツリストを生成する。そして、表示装置３は、携帯端末２が生成したコンテンツリストに配列された公開順で公開データを順次公開する。
【０１９２】
したがって、フォルダ識別情報フォルダ名などのフォルダ識別情報に含まれる情報に応じて公開データの公開順序を制御することができるので、画像などのデータをネットワークに接続された別の装置に公開するとき、どのような順序で公開するかを簡単に変更することができる。
【０１９３】
さらに、データを公開する表示装置３と、表示装置３で公開するための複数の公開データを、各公開データを識別するためのファイル名と対応付けて、かつ前記複数の公開データを個別のフォルダ名が付与された複数のフォルダに分けて記憶するとともに、各フォルダのフォルダ名を記憶する携帯端末２とを含む画像表示システム１で情報を公開するにあたって、図１６に示したステップＣ１２〜Ｃ１４または図１９に示したステップＨ１〜Ｈ３では、表示装置３が、携帯端末２に記憶されるフォルダ情報を表示し、表示したフォルダ名の中から公開すべきフォルダのフォルダ名を選択する。図１６に示したステップＢ９〜Ｂ１１または図１９に示したステップＧ１〜Ｇ６では、携帯端末２が、図１６に示したステップＣ１２〜Ｃ１４または図１９に示したステップＨ１〜Ｈ３で選択されたフォルダ名が示すフォルダに分けられた公開データのファイル名を、該選択されたフォルダ名に基づいて定まる公開順に従って配列したコンテンツリストを生成する。そして、図１７に示したステップＤ１〜Ｄ６およびステップＥ１〜Ｅ１１では、表示装置３が、図１６に示したステップＢ９〜Ｂ１１または図１９に示したステップＧ１〜Ｇ６で生成されたコンテンツリストに配列された公開順で公開データを順次公開する。
【０１９４】
したがって、フォルダ名などのフォルダ識別情報に含まれる情報に応じて公開データの公開順序を制御することができるので、画像などのデータをネットワークに接続された別の装置に公開するとき、どのような順序で公開するかを簡単に変更することができる。
【０１９５】
さらに、データを公開する第２表示部３３と、第２表示部３３で公開するための複数の公開データを、各公開データを識別するためのファイル名と対応付けて、かつ前記複数の公開データを個別のフォルダ名が付与された複数のフォルダに分けて記憶するとともに、各フォルダのフォルダ名を記憶する第１一時記憶部２２と、第１ＣＰＵ２０および第２ＣＰＵ３０とを含む画像表示システム１に含まれる第１ＣＰＵ２０および第２ＣＰＵ３０に、第１一時記憶部２２に記憶されるフォルダ情報を表示し、表示したフォルダ名の中から公開すべきフォルダのフォルダ名を選択する選択ステップと、選択ステップで選択されたフォルダ名が示すフォルダに分けられた公開データのファイル名を、該選択されたフォルダ名に基づいて定まる公開順に従って配列したコンテンツリストを生成する生成ステップと、生成ステップで生成されたコンテンツリストに配列された公開順で公開データを順次第２表示部３３に公開する公開ステップとを実行させるためのプログラムとして提供することができる。
【０１９６】
さらに、前記プログラムを記録したコンピュータ読取り可能な記録媒体として提供することができる。
【符号の説明】
【０１９７】
１  画像表示システム
２  携帯端末
３  表示装置
４  ＳＤカード
２０  第１ＣＰＵ
２１  第１記憶部
２２  第１一時記憶部
２３  第１表示部
２４  第１通信部
２５  第１音声出力部
２６  音声入力部
２７  電話網通信部
２９  操作部
３０  第２ＣＰＵ
３１  第２記憶部
３２  第２一時記憶部
３３  第２表示部
３４  第２通信部
３５  第２音声出力部
３６  チューナ
３７  赤外線受光部
３８  リモコン
２７１  第１アンテナ
２９１  カーソルキー
２９２  決定キー
２９３  戻るキー
２９４  終了キー
３６１  第２アンテナ
【図１】
2011192087.tif 000003
【図２】
2011192087.tif 000004
【図３】
2011192087.tif 000005
【図４】
2011192087.tif 000006
【図５】
2011192087.tif 000007
【図６】
2011192087.tif 000008
【図７Ａ】
2011192087.tif 000009
【図７Ｂ】
2011192087.tif 000010
【図７Ｃ】
2011192087.tif 000011
【図７Ｄ】
2011192087.tif 000012
【図８】
2011192087.tif 000013
【図９Ａ】
2011192087.tif 000014
【図９Ｂ】
2011192087.tif 000015
【図１０】
2011192087.tif 000016
【図１１】
2011192087.tif 000017
【図１２】
2011192087.tif 000018
【図１３】
2011192087.tif 000019
【図１４】
2011192087.tif 000020
【図１５】
2011192087.tif 000021
【図１６】
2011192087.tif 000022
【図１７】
2011192087.tif 000023
【図１８】
2011192087.tif 000024
【図１９】
2011192087.tif 000025